(57)【特許請求の範囲】
【請求項１】
情報処理装置であり、
情報記録媒体からのデータ読み取りを実行する記録媒体インタフェースと、
前記情報記録媒体からの取得情報を適用して生成または取得した後発データの記録処理を実行するデータ処理部を有し、
前記情報記録媒体は、各々が異なる暗号鍵として設定されるユニット鍵による暗号化データを含むコンテンツ管理ユニット単位の記録データを格納した情報記録媒体であり、
前記データ処理部は、
前記取得情報の属するコンテンツ管理ユニットに対応するユニット鍵、または新規のコンテンツ管理ユニットに対応するユニット鍵を取得して、取得ユニット鍵を適用した前記後発データの暗号化処理を実行し、生成した暗号化データをコンテンツ管理ユニットの構成データとして記録する処理を実行する構成であり、
前記取得情報を取得した情報記録媒体以外の記憶手段に前記後発データを格納する場合、前記取得情報を取得した情報記録媒体の識別情報とコンテンツ管理ユニット識別情報を該後発データに対応付けて格納し、
前記取得情報を取得した情報記録媒体以外の記憶手段に前記後発データを格納し、かつ該後発データを前記取得情報の属するコンテンツ管理ユニットに一体化する場合は、前記取得情報を取得した情報記録媒体の識別情報と、前記取得情報の属するコンテンツ管理ユニットと同一のコンテンツ管理ユニット識別情報を該後発データに対応付けて格納することを特徴とする情報処理装置。
【請求項２】
前記データ処理部は、
前記後発データに対応するコンテンツ管理ユニットを設定するとともに、該後発データを含むコンテンツ管理ユニットに対応する管理情報としての暗号鍵の設定処理を実行する構成であることを特徴とする請求項１に記載の情報処理装置。
【請求項３】
前記データ処理部は、
前記後発データに対応するコンテンツ管理ユニットを設定するとともに、該後発データを含むコンテンツ管理ユニットに対応する管理情報としてのコンテンツ利用制御情報の設定処理を実行する構成であることを特徴とする請求項１に記載の情報処理装置。
【請求項４】
前記データ処理部は、
前記情報記録媒体からの取得情報に含まれるプログラムによって規定された領域に対して、前記後発データの書き込み処理を実行する構成であることを特徴とする請求項１に記載の情報処理装置。
【請求項５】
前記データ処理部は、
後発データを含むＡＶストリームデータファイル、およびＡＶストリームデータの再生処理に適用する制御情報またはプログラムを含むナビケーションファイルの暗号化処理を実行して、記憶手段に対する後発データの記録処理を実行する構成であることを特徴とする請求項１に記載の情報処理装置。
【請求項６】
前記データ処理部は、
前記暗号化処理に適用する暗号鍵として、コンテンツ管理ユニットに対応するユニット鍵を適用する構成であることを特徴とする請求項５に記載の情報処理装置。
【請求項７】
前記データ処理部は、
前記コンテンツ管理ユニットに対する処理を実行するライセンスされたアプリケーションによってのみ取得可能な情報を暗号鍵または暗号鍵生成情報として適用した暗号化処理を実行する構成であることを特徴とする請求項５に記載の情報処理装置。
【請求項８】
前記ライセンスされたアプリケーションによってのみ取得可能な情報は、前記アプリケーションのインストールされたデバイスに固有の識別子としてのデバイスＩＤを含む情報であることを特徴とする請求項７に記載の情報処理装置。
【請求項９】
前記データ処理部は、
後発データを含むＡＶストリームデータファイル、およびＡＶストリームデータの再生処理に適用する制御情報またはプログラムを含むナビケーションファイルの少なくともいずれかのファイルに対して、改竄検証のためのハッシュ値を生成して記憶手段に記録する処理を実行する構成であることを特徴とする請求項１に記載の情報処理装置。
【請求項１０】
前記データ処理部は、
後発データを含むＡＶストリームデータファイルまたはナビケーションファイルの利用に際して、ファイルに対して設定されたハッシュ値に基づくデータ改竄検証処理を実行し、改竄のないことの確認を条件として各ファイルの利用処理を実行する構成であることを特徴とする請求項９に記載の情報処理装置。
【請求項１１】
前記データ処理部は、
後発データを含むＡＶストリームデータの再生処理に適用する制御情報またはプログラムを含むナビケーションファイルを、改竄検証のための電子署名を付加したファイルとして記憶手段に記録する処理を実行する構成であることを特徴とする請求項１に記載の情報処理装置。
【請求項１２】
前記データ処理部は、
後発データを含むＡＶストリームデータファイルまたはビケーションファイルの利用に際して、ファイルに対して設定された電子署名に基づくデータ改竄検証処理を実行し、改竄のないことの確認を条件として各ファイルの利用処理を実行する構成であることを特徴とする請求項１１に記載の情報処理装置。
【請求項１３】
前記データ処理部は、
前記情報記録媒体からの読み取り情報に含まれるプログラムの処理を行なう構成であり、
プログラムを読み取った情報記録媒体の種類を判定し、予め設定されたプログラム実行の許容された種類であることの確認を条件としてプログラムを実行する構成であることを特徴とする請求項１に記載の情報処理装置。
【請求項１４】
前記データ処理部は、
プログラム実行の許可される情報記録媒体の種類情報を、前記情報記録媒体からの読み取り情報から取得し、該取得情報に従ってプログラムの実行可否判定を行なう構成であることを特徴とする請求項１３に記載の情報処理装置。
【請求項１５】
情報処理方法であり、
情報記録媒体からのデータ読み取りを実行するデータ読み取りステップと、
前記情報記録媒体からの取得情報を適用して生成または取得した後発データの記録処理を実行するデータ処理ステップを有し、
前記情報記録媒体は、各々が異なる暗号鍵として設定されるユニット鍵による暗号化データを含むコンテンツ管理ユニット単位の記録データを格納した情報記録媒体であり、
前記データ処理ステップは、
前記取得情報の属するコンテンツ管理ユニットに対応するユニット鍵、または新規のコンテンツ管理ユニットに対応するユニット鍵を取得するステップと、
取得ユニット鍵を適用した前記後発データの暗号化処理を実行するステップと、
生成した暗号化データをコンテンツ管理ユニットの構成データとして記録する処理を実行するステップと、
前記取得情報を取得した情報記録媒体以外の記憶手段に前記後発データを格納する場合、前記取得情報を取得した情報記録媒体の識別情報とコンテンツ管理ユニット識別情報を該後発データに対応付けて格納し、
前記取得情報を取得した情報記録媒体以外の記憶手段に前記後発データを格納し、かつ該後発データを前記取得情報の属するコンテンツ管理ユニットに一体化する場合は、前記取得情報を取得した情報記録媒体の識別情報と、前記取得情報の属するコンテンツ管理ユニットと同一のコンテンツ管理ユニット識別情報を該後発データに対応付けて格納するステップ、
を含むことを特徴とする情報処理方法。
【請求項１６】
前記データ処理ステップは、
前記後発データに対応するコンテンツ管理ユニットを設定するとともに、該後発データを含むコンテンツ管理ユニットに対応する管理情報としての暗号鍵の設定処理を実行するステップを含むことを特徴とする請求項１５に記載の情報処理方法。
【請求項１７】
前記データ処理ステップは、
前記後発データに対応するコンテンツ管理ユニットを設定するとともに、該後発データを含むコンテンツ管理ユニットに対応する管理情報としてのコンテンツ利用制御情報の設定処理を実行するステップを含むことを特徴とする請求項１５に記載の情報処理方法。
【請求項１８】
前記データ処理ステップは、
前記情報記録媒体からの取得情報に含まれるプログラムによって規定された領域に対して、前記後発データの書き込み処理を実行するステップを含むことを特徴とする請求項１５に記載の情報処理方法。
【請求項１９】
前記情報処理方法は、さらに、
後発データを含むＡＶストリームデータファイル、およびＡＶストリームデータの再生処理に適用する制御情報またはプログラムを含むナビケーションファイルの暗号化処理を実行して、記憶手段に記録する処理を実行する暗号化記録処理ステップを含むことを特徴とする請求項１５に記載の情報処理方法。
【請求項２０】
前記暗号化記録処理ステップは、
コンテンツ管理ユニットに対応するユニット鍵を暗号鍵として適用した暗号化処理を実行するステップであることを特徴とする請求項１９に記載の情報処理方法。
【請求項２１】
前記暗号化記録処理ステップは、
前記コンテンツ管理ユニットに対する処理を実行するライセンスされたアプリケーションによってのみ取得可能な情報を暗号鍵または暗号鍵生成情報として適用した暗号化処理を実行するステップであることを特徴とする請求項１９に記載の情報処理方法。
【請求項２２】
前記ライセンスされたアプリケーションによってのみ取得可能な情報は、前記アプリケーションのインストールされたデバイスに固有の識別子としてのデバイスＩＤを含む情報であることを特徴とする請求項２１に記載の情報処理方法。
【請求項２３】
前記情報処理方法は、さらに、
後発データを含むＡＶストリームデータファイル、およびＡＶストリームデータの再生処理に適用する制御情報またはプログラムを含むナビケーションファイルの少なくともいずれかのファイルに対して、改竄検証のためのハッシュ値を生成して記憶手段に記録する処理を実行するステップを有することを特徴とする請求項１５に記載の情報処理方法。
【請求項２４】
前記情報処理方法は、さらに、
後発データを含むＡＶストリームデータファイルまたはナビケーションファイルの利用に際して、ファイルに対して設定されたハッシュ値に基づくデータ改竄検証処理を実行し、改竄のないことの確認を条件として各ファイルの利用処理を実行するステップを有することを特徴とする請求項２３に記載の情報処理方法。
【請求項２５】
前記情報処理方法は、さらに、
後発データを含むＡＶストリームデータの再生処理に適用する制御情報またはプログラムを含むナビケーションファイルを、改竄検証のための電子署名を付加したファイルとして記憶手段に記録する処理を実行するステップを有することを特徴とする請求項１５に記載の情報処理方法。
【請求項２６】
前記情報処理方法は、さらに、
後発データを含むＡＶストリームデータファイルまたはビケーションファイルの利用に際して、ファイルに対して設定された電子署名に基づくデータ改竄検証処理を実行し、改竄のないことの確認を条件として各ファイルの利用処理を実行するステップを有することを特徴とする請求項２５に記載の情報処理方法。
【請求項２７】
前記データ処理ステップは、
前記情報記録媒体からの読み取り情報に含まれるプログラムの処理として、
プログラムを読み取った情報記録媒体の種類を判定し、予め設定されたプログラム実行の許容された種類であることの確認を条件としてプログラムを実行するステップを含むことを特徴とする請求項１５に記載の情報処理方法。
【請求項２８】
前記データ処理ステップにおいて、プログラム実行の許可される情報記録媒体の種類情報を、前記情報記録媒体からの読み取り情報から取得し、該取得情報に従ってプログラムの実行可否判定を行なうことを特徴とする請求項２７に記載の情報処理方法。
【請求項２９】
情報処理を実行するコンピュータ・プログラムであり、
情報記録媒体からのデータ読み取りを実行するデータ読み取りステップと、
前記情報記録媒体からの取得情報を適用して生成または取得した後発データの記録処理を実行するデータ処理ステップを有し、
前記情報記録媒体は、各々が異なる暗号鍵として設定されるユニット鍵による暗号化データを含むコンテンツ管理ユニット単位の記録データを格納した情報記録媒体であり、
前記データ処理ステップは、
前記取得情報の属するコンテンツ管理ユニットに対応するユニット鍵、または新規のコンテンツ管理ユニットに対応するユニット鍵を取得するステップと、
取得ユニット鍵を適用した前記後発データの暗号化処理を実行するステップと、
生成した暗号化データをコンテンツ管理ユニットの構成データとして記録する処理を実行するステップと、
前記取得情報を取得した情報記録媒体以外の記憶手段に前記後発データを格納する場合、前記取得情報を取得した情報記録媒体の識別情報とコンテンツ管理ユニット識別情報を該後発データに対応付けて格納し、
前記取得情報を取得した情報記録媒体以外の記憶手段に前記後発データを格納し、かつ該後発データを前記取得情報の属するコンテンツ管理ユニットに一体化する場合は、前記取得情報を取得した情報記録媒体の識別情報と、前記取得情報の属するコンテンツ管理ユニットと同一のコンテンツ管理ユニット識別情報を該後発データに対応付けて格納するステップ、
を含むことを特徴とするコンピュータ・プログラム。
【請求項３０】
前記コンピュータ・プログラムは、さらに、
後発データを含むＡＶストリームデータファイル、およびＡＶストリームデータの再生処理に適用する制御情報またはプログラムを含むナビケーションファイルの暗号化処理を実行して記憶手段に記録する処理を実行する暗号化記録処理ステップを有することを特徴とする請求項２９に記載のコンピュータ・プログラム。
【請求項３１】
前記コンピュータ・プログラムは、さらに、
後発データを含むＡＶストリームデータファイル、およびＡＶストリームデータの再生処理に適用する制御情報またはプログラムを含むナビケーションファイルの少なくともいずれかのファイルに対する改竄検証用データを記憶手段に記録する処理を実行するステップを有することを特徴とする請求項２９に記載のコンピュータ・プログラム。
【請求項３２】
前記コンピュータ・プログラムは、さらに、
後発データを含むＡＶストリームデータファイルまたはナビケーションファイルの利用に際して、ファイルに対して設定された改竄検証用データに基づくデータ改竄検証処理を実行し、改竄のないことの確認を条件として各ファイルの利用処理を実行するステップを有することを特徴とする請求項２９に記載のコンピュータ・プログラム。
【請求項３３】
前記データ処理ステップは、
前記情報記録媒体からの読み取り情報に含まれるプログラムの処理として、
プログラムを読み取った情報記録媒体の種類を判定し、予め設定されたプログラム実行の許容された種類であることの確認を条件としてプログラムを実行するステップを含むことを特徴とする請求項２９に記載のコンピュータ・プログラム。
【発明の詳細な説明】
【技術分野】
【０００１】
本発明は、情報処理装置、および情報処理方法、並びにコンピュータ・プログラムに関する。さらに、詳細には、情報記録媒体に格納されたユニット単位のコンテンツ情報に関連して後発的にユーザが生成した情報やダウンロードした情報などの後発データを、ユニットに対応する管理対象データとして記録し、後発生成データについてもユニット毎のセキュアなデータ管理および利用管理を実現する情報処理装置、および情報処理方法、並びにコンピュータ・プログラムに関する。
【背景技術】
【０００２】
音楽等のオーディオデータ、映画等の画像データ、ゲームプログラム、各種アプリケーションプログラム等、様々なソフトウエアデータ（以下、これらをコンテンツ（Content）と呼ぶ）は、記録メディア、例えば、青色レーザを適用したＢｌｕ−ｒａｙディスク、あるいはＤＶＤ(Digital Versatile Disc)、ＭＤ(Mini Disc)、ＣＤ(Compact Disc)にデジタルデータとして格納することができる。特に、青色レーザを利用したＢｌｕ−ｒａｙディスクは、高密度記録可能なディスクであり大容量の映像コンテンツなどを高画質データとして記録することができる。【０００３】
これら様々な情報記録媒体（記録メディア）にデジタルコンテンツが格納され、ユーザに提供される。ユーザは、所有するＰＣ（Personal Computer）、ディスクプレーヤ等の再生装置においてコンテンツの再生、利用を行う。【０００４】
音楽データ、画像データ等、多くのコンテンツは、一般的にその作成者あるいは販売者に頒布権等が保有されている。従って、これらのコンテンツの配布に際しては、一定の利用制限、すなわち、正規なユーザに対してのみ、コンテンツの利用を許諾し、許可のない複製等が行われないようにする構成をとるのが一般的となっている。【０００５】
デジタル記録装置および記録媒体によれば、例えば画像や音声を劣化させることなく記録、再生を繰り返すことが可能であり、不正コピーコンテンツのインターネットを介した配信や、コンテンツをＣＤ−Ｒ等にコピーした、いわゆる海賊版ディスクの流通や、ＰＣ等のハードディスクに格納したコピーコンテンツの利用が蔓延しているといった問題が発生している。【０００６】
ＤＶＤ、あるいは近年開発が進んでいる青色レーザを利用した記録媒体等の大容量型記録媒体は、１枚の媒体に例えば映画１本〜数本分の大量のデータをデジタル情報として記録することが可能である。このように映像情報等をデジタル情報として記録することが可能となってくると不正コピーを防止して著作権者の保護を図ることが益々重要な課題となっている。昨今では、このようなデジタルデータの不正なコピーを防ぐため、デジタル記録装置および記録媒体に違法なコピーを防止するための様々な技術が実用化されている。【０００７】
例えば、ＤＶＤプレーヤでは、コンテンツ・スクランブルシステム（Ｃｏｎｔｅｎｔ  Ｓｃｒａｍｂｌｅ  Ｓｙｓｔｅｍ）が採用されている。コンテンツ・スクランブルシステムでは、ＤＶＤ−ＲＯＭ(Read Only Memory)に、ビデオデータやオーディオデータ等が暗号化されて記録されており、その暗号化されたデータを復号するのに用いる鍵が、ライセンスを受けたＤＶＤプレーヤに与えられる。ライセンスは、不正コピーを行わない等の所定の動作規定に従うように設計されたＤＶＤプレーヤに対して与えられる。従って、ライセンスを受けたＤＶＤプレーヤでは、与えられたキーを利用して、ＤＶＤ−ＲＯＭに記録された暗号化データを復号することにより、ＤＶＤ−ＲＯＭから画像や音声を再生することができる。【０００８】
一方、ライセンスを受けていないＤＶＤプレーヤは、暗号化されたデータを復号するための鍵を有していないため、ＤＶＤ−ＲＯＭに記録された暗号化データの復号を行うことができない。このように、コンテンツ・スクランブルシステム構成では、ライセンス時に要求される条件を満たしていないＤＶＤプレーヤは、デジタルデータを記録したＤＶＤ−ＲＯＭの再生を行なえないことになり、不正コピーが防止されるようになっている。【０００９】
このように、情報記録媒体に格納されたコンテンツの管理システムは構築されている。しかし、例えば、情報記録媒体に格納されたコンテンツとしてのプログラムを実行してユーザが生成したデータや、外部サーバから取得したデータ、コンテンツなどについては、セキュアなデータ管理や、利用管理が実現されているとは言い難い。【００１０】
ユーザが情報記録媒体に格納されたプログラムを実行して生成したデータや外部サーバから取得したデータについてセキュアな管理を行なう場合、例えばユーザが独自のパスワードを設定して保護したり、または、外部から取得した暗号鍵などを適用した暗号化データとするなど個別のデータ毎の対応が必要となる。このようなデータ管理構成をとると、生成データや取得データが増加した場合、管理すべき暗号鍵やパスワードが増大するという問題が発生し、また、データの所在が不明確になりやすく、さらに格納データと暗号鍵／パスワードとの対応についても不明確になってしまうといった問題がある。また、このような後発データについての利用管理についても十分な対策がとられていないという現状がある。
【発明の開示】
【発明が解決しようとする課題】
【００１１】
本発明は、このような状況に鑑みてなされたものであり、情報記録媒体に格納されたユニット単位のコンテンツ情報に関連して後発的にユーザが生成した情報やダウンロードした情報などの後発データを、ユニットに対応の管理データとして記録し、後発生成データについてもユニット毎のセキュアなデータ管理および利用管理を実現する情報処理装置、および情報処理方法、並びにコンピュータ・プログラムを提供することを目的とするものである。
【課題を解決するための手段】
【００１２】
本発明の第１の側面は、
情報処理装置であり、
情報記録媒体からのデータ読み取りを実行する記録媒体インタフェースと、
前記情報記録媒体からの取得情報を適用して生成または取得した後発データの記録処理を実行するデータ処理部を有し、
前記情報記録媒体は、各々が異なる暗号鍵として設定されるユニット鍵による暗号化データを含むコンテンツ管理ユニット単位の記録データを格納した情報記録媒体であり、
前記データ処理部は、
前記取得情報の属するコンテンツ管理ユニットに対応するユニット鍵、または新規のコンテンツ管理ユニットに対応するユニット鍵を取得して、取得ユニット鍵を適用した前記後発データの暗号化処理を実行し、生成した暗号化データをコンテンツ管理ユニットの構成データとして記録する処理を実行する構成であることを特徴とする情報処理装置にある。【００１３】
さらに、本発明の情報処理装置の一実施態様において、前記データ処理部は、前記後発データに対応するコンテンツ管理ユニットを設定するとともに、該後発データを含むコンテンツ管理ユニットに対応する管理情報としての暗号鍵の設定処理を実行する構成であることを特徴とする。【００１４】
さらに、本発明の情報処理装置の一実施態様において、前記データ処理部は、前記後発データに対応するコンテンツ管理ユニットを設定するとともに、該後発データを含むコンテンツ管理ユニットに対応する管理情報としてのコンテンツ利用制御情報の設定処理を実行する構成であることを特徴とする。【００１５】
さらに、本発明の情報処理装置の一実施態様において、前記データ処理部は、前記情報記録媒体からの取得情報に含まれるプログラムによって規定された領域に対して、前記後発データの書き込み処理を実行する構成であることを特徴とする。【００１６】
さらに、本発明の情報処理装置の一実施態様において、前記データ処理部は、前記取得情報を取得した情報記録媒体以外の記憶手段に前記後発データを格納する場合において、前記取得情報を取得した情報記録媒体の識別情報を該後発データに対応付けて格納する処理を実行する構成であることを特徴とする。【００１７】
さらに、本発明の情報処理装置の一実施態様において、前記データ処理部は、後発データを含むＡＶストリームデータファイル、およびＡＶストリームデータの再生処理に適用する制御情報またはプログラムを含むナビケーションファイルの暗号化処理を実行して、記憶手段に対する後発データの記録処理を実行する構成であることを特徴とする。【００１８】
さらに、本発明の情報処理装置の一実施態様において、前記データ処理部は、前記暗号化処理に適用する暗号鍵として、コンテンツ管理ユニットに対応するユニット鍵を適用する構成であることを特徴とする。【００１９】
さらに、本発明の情報処理装置の一実施態様において、前記データ処理部は、前記コンテンツ管理ユニットに対する処理を実行するライセンスされたアプリケーションによってのみ取得可能な情報を暗号鍵または暗号鍵生成情報として適用した暗号化処理を実行する構成であることを特徴とする。【００２０】
さらに、本発明の情報処理装置の一実施態様において、前記ライセンスされたアプリケーションによってのみ取得可能な情報は、前記アプリケーションのインストールされたデバイスに固有の識別子としてのデバイスＩＤを含む情報であることを特徴とする。【００２１】
さらに、本発明の情報処理装置の一実施態様において、前記データ処理部は、後発データを含むＡＶストリームデータファイル、およびＡＶストリームデータの再生処理に適用する制御情報またはプログラムを含むナビケーションファイルの少なくともいずれかのファイルに対して、改竄検証のためのハッシュ値を生成して記憶手段に記録する処理を実行する構成であることを特徴とする。【００２２】
さらに、本発明の情報処理装置の一実施態様において、前記データ処理部は、後発データを含むＡＶストリームデータファイルまたはナビケーションファイルの利用に際して、ファイルに対して設定されたハッシュ値に基づくデータ改竄検証処理を実行し、改竄のないことの確認を条件として各ファイルの利用処理を実行する構成であることを特徴とする。【００２３】
さらに、本発明の情報処理装置の一実施態様において、前記データ処理部は、後発データを含むＡＶストリームデータの再生処理に適用する制御情報またはプログラムを含むナビケーションファイルを、改竄検証のための電子署名を付加したファイルとして記憶手段に記録する処理を実行する構成であることを特徴とする。【００２４】
さらに、本発明の情報処理装置の一実施態様において、前記データ処理部は、後発データを含むＡＶストリームデータファイルまたはビケーションファイルの利用に際して、ファイルに対して設定された電子署名に基づくデータ改竄検証処理を実行し、改竄のないことの確認を条件として各ファイルの利用処理を実行する構成であることを特徴とする。【００２５】
さらに、本発明の第２の側面は、
情報処理装置であり、
情報記録媒体からのデータ読み取りを実行する記録媒体インタフェースと、
前記情報記録媒体からの読み取り情報に含まれるプログラムの処理を行なうデータ処理部を有し、
前記データ処理部は、
プログラムを読み取った情報記録媒体の種類を判定し、予め設定されたプログラム実行の許容された種類であることの確認を条件としてプログラムを実行する構成であることを特徴とする情報処理装置にある。【００２６】
さらに、本発明の情報処理装置の一実施態様において、前記データ処理部は、プログラム実行の許可される情報記録媒体の種類情報を、前記情報記録媒体からの読み取り情報から取得し、該取得情報に従ってプログラムの実行可否判定を行なう構成であることを特徴とする。【００２７】
さらに、本発明の第３の側面は、
情報処理方法であり、
情報記録媒体からのデータ読み取りを実行するデータ読み取りステップと、
前記情報記録媒体からの取得情報を適用して生成または取得した後発データの記録処理を実行するデータ処理ステップを有し、
前記情報記録媒体は、各々が異なる暗号鍵として設定されるユニット鍵による暗号化データを含むコンテンツ管理ユニット単位の記録データを格納した情報記録媒体であり、
前記データ処理ステップは、
前記取得情報の属するコンテンツ管理ユニットに対応するユニット鍵、または新規のコンテンツ管理ユニットに対応するユニット鍵を取得するステップと、
取得ユニット鍵を適用した前記後発データの暗号化処理を実行するステップと、
生成した暗号化データをコンテンツ管理ユニットの構成データとして記録する処理を実行するステップと、
を含むことを特徴とする情報処理方法にある。【００２８】
さらに、本発明の情報処理方法の一実施態様において、前記データ処理ステップは、前記後発データに対応するコンテンツ管理ユニットを設定するとともに、該後発データを含むコンテンツ管理ユニットに対応する管理情報としての暗号鍵の設定処理を実行するステップを含むことを特徴とする。【００２９】
さらに、本発明の情報処理方法の一実施態様において、前記データ処理ステップは、前記後発データに対応するコンテンツ管理ユニットを設定するとともに、該後発データを含むコンテンツ管理ユニットに対応する管理情報としてのコンテンツ利用制御情報の設定処理を実行するステップを含むことを特徴とする。【００３０】
さらに、本発明の情報処理方法の一実施態様において、前記データ処理ステップは、前記情報記録媒体からの取得情報に含まれるプログラムによって規定された領域に対して、前記後発データの書き込み処理を実行するステップを含むことを特徴とする。【００３１】
さらに、本発明の情報処理方法の一実施態様において、前記データ処理ステップは、前記取得情報を取得した情報記録媒体以外の記憶手段に前記後発データを格納する場合において、前記取得情報を取得した情報記録媒体の識別情報を該後発データに対応付けて格納する処理を実行することを特徴とする。【００３２】
さらに、本発明の情報処理方法の一実施態様において、前記情報処理方法は、さらに、後発データを含むＡＶストリームデータファイル、およびＡＶストリームデータの再生処理に適用する制御情報またはプログラムを含むナビケーションファイルの暗号化処理を実行して、記憶手段に記録する処理を実行する暗号化記録処理ステップを含むことを特徴とする。【００３３】
さらに、本発明の情報処理方法の一実施態様において、前記暗号化記録処理ステップは、コンテンツ管理ユニットに対応するユニット鍵を暗号鍵として適用した暗号化処理を実行するステップであることを特徴とする。【００３４】
さらに、本発明の情報処理方法の一実施態様において、前記暗号化記録処理ステップは、前記コンテンツ管理ユニットに対する処理を実行するライセンスされたアプリケーションによってのみ取得可能な情報を暗号鍵または暗号鍵生成情報として適用した暗号化処理を実行するステップであることを特徴とする。【００３５】
さらに、本発明の情報処理方法の一実施態様において、前記ライセンスされたアプリケーションによってのみ取得可能な情報は、前記アプリケーションのインストールされたデバイスに固有の識別子としてのデバイスＩＤを含む情報であることを特徴とする。【００３６】
さらに、本発明の情報処理方法の一実施態様において、前記情報処理方法は、さらに、後発データを含むＡＶストリームデータファイル、およびＡＶストリームデータの再生処理に適用する制御情報またはプログラムを含むナビケーションファイルの少なくともいずれかのファイルに対して、改竄検証のためのハッシュ値を生成して記憶手段に記録する処理を実行するステップを有することを特徴とする。【００３７】
さらに、本発明の情報処理方法の一実施態様において、前記情報処理方法は、さらに、後発データを含むＡＶストリームデータファイルまたはナビケーションファイルの利用に際して、ファイルに対して設定されたハッシュ値に基づくデータ改竄検証処理を実行し、改竄のないことの確認を条件として各ファイルの利用処理を実行するステップを有することを特徴とする。【００３８】
さらに、本発明の情報処理方法の一実施態様において、前記情報処理方法は、さらに、後発データを含むＡＶストリームデータの再生処理に適用する制御情報またはプログラムを含むナビケーションファイルを、改竄検証のための電子署名を付加したファイルとして記憶手段に記録する処理を実行するステップを有することを特徴とする。【００３９】
さらに、本発明の情報処理方法の一実施態様において、前記情報処理方法は、さらに、後発データを含むＡＶストリームデータファイルまたはビケーションファイルの利用に際して、ファイルに対して設定された電子署名に基づくデータ改竄検証処理を実行し、改竄のないことの確認を条件として各ファイルの利用処理を実行するステップを有することを特徴とする。【００４０】
さらに、本発明の第４の側面は、
情報処理方法であり、
情報記録媒体からのデータ読み取りを実行するデータ読み取りステップと、
前記情報記録媒体からの読み取り情報に含まれるプログラムの処理を行なうデータ処理ステップを有し、
前記データ処理ステップは、
プログラムを読み取った情報記録媒体の種類を判定し、予め設定されたプログラム実行の許容された種類であることの確認を条件としてプログラムを実行するステップを含むことを特徴とする情報処理方法にある。【００４１】
さらに、本発明の情報処理方法の一実施態様において、前記データ処理ステップにおいて、プログラム実行の許可される情報記録媒体の種類情報を、前記情報記録媒体からの読み取り情報から取得し、該取得情報に従ってプログラムの実行可否判定を行なうことを特徴とする。【００４２】
さらに、本発明の第５の側面は、
情報処理を実行するコンピュータ・プログラムであり、
情報記録媒体からのデータ読み取りを実行するデータ読み取りステップと、
前記情報記録媒体からの取得情報を適用して生成または取得した後発データの記録処理を実行するデータ処理ステップを有し、
前記情報記録媒体は、各々が異なる暗号鍵として設定されるユニット鍵による暗号化データを含むコンテンツ管理ユニット単位の記録データを格納した情報記録媒体であり、
前記データ処理ステップは、
前記取得情報の属するコンテンツ管理ユニットに対応するユニット鍵、または新規のコンテンツ管理ユニットに対応するユニット鍵を取得するステップと、
取得ユニット鍵を適用した前記後発データの暗号化処理を実行するステップと、
生成した暗号化データをコンテンツ管理ユニットの構成データとして記録する処理を実行するステップと、
を含むことを特徴とするコンピュータ・プログラムにある。【００４３】
さらに、本発明のコンピュータ・プログラムの一実施態様において、前記コンピュータ・プログラムは、さらに、後発データを含むＡＶストリームデータファイル、およびＡＶストリームデータの再生処理に適用する制御情報またはプログラムを含むナビケーションファイルの暗号化処理を実行して記憶手段に記録する処理を実行する暗号化記録処理ステップを有することを特徴とする。【００４４】
さらに、本発明のコンピュータ・プログラムの一実施態様において、前記コンピュータ・プログラムは、さらに、後発データを含むＡＶストリームデータファイル、およびＡＶストリームデータの再生処理に適用する制御情報またはプログラムを含むナビケーションファイルの少なくともいずれかのファイルに対する改竄検証用データを記憶手段に記録する処理を実行するステップを有することを特徴とする。【００４５】
さらに、本発明のコンピュータ・プログラムの一実施態様において、前記コンピュータ・プログラムは、さらに、後発データを含むＡＶストリームデータファイルまたはナビケーションファイルの利用に際して、ファイルに対して設定された改竄検証用データに基づくデータ改竄検証処理を実行し、改竄のないことの確認を条件として各ファイルの利用処理を実行するステップを有することを特徴とする。【００４６】
さらに、本発明の第６の側面は、
情報処理を実行するコンピュータ・プログラムであり、
情報記録媒体からのデータ読み取りを実行するデータ読み取りステップと、
前記情報記録媒体からの読み取り情報に含まれるプログラムの処理を行なうデータ処理ステップを有し、
前記データ処理ステップは、
プログラムを読み取った情報記録媒体の種類を判定し、予め設定されたプログラム実行の許容された種類であることの確認を条件としてプログラムを実行するステップを含むことを特徴とするコンピュータ・プログラムにある。【００４７】
なお、本発明のコンピュータ・プログラムは、例えば、様々なプログラム・コードを実行可能なコンピュータ・システムに対して、コンピュータ可読な形式で提供する記憶媒体、通信媒体、例えば、ＤＶＤ、ＣＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。【００４８】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００４９】
本発明の構成によれば、情報記録媒体に格納されたコンテンツ管理ユニット単位のコンテンツ情報に関連して後発的にユーザが生成した情報やダウンロードした情報などの後発データを、コンテンツ管理ユニットに対応するユニット鍵、または新規のコンテンツ管理ユニットに対応するユニット鍵を適用した暗号化データとして、コンテンツ管理ユニットの構成データとして記録する構成としたので、後発生成データについてもオリジナルのユニット対応データと同様のセキュアなデータ管理、利用管理が実現される。【００５０】
さらに、本発明の構成によれば、情報記録媒体からの読み取り情報に含まれるプログラムの実行において、プログラムを読み取った情報記録媒体の種類を判定し、予め設定されたプログラム実行の許容された種類であることの確認を条件としてプログラムを実行する構成としたので、例えばコンテンツのコピーディスクを利用したプログラム実行が拒否されることとなり、コンテンツの不正利用を防止することが可能となる。【００５１】
さらに、本発明の構成によれば、ＡＶストリームデータファイル以外のナビケーションファイルについても暗号化または改竄検証用データを設定して格納する構成としたので、例えば、ＰＣなど様々なアプリケーションソフトが利用可能な装置において、ライセンスされたアプリケーション以外のアプリケーションを適用してＣＰＳユニット対応のＡＶストリームデータファイルやナビケーションファイルを利用したり、データ変更を行なうなどの処理を防止することが可能となり、ナビケーションファイルを含むＣＰＳユニット対応データの不正利用の排除が可能となる。
【図面の簡単な説明】
【００５２】
【図１】情報記録媒体の格納データ構成について説明する図である。
【図２】ＣＰＳユニット管理テーブルの例を示す図である。
【図３】情報記録媒体の格納コンテンツに対して設定するコンテンツ管理ユニットの設定例について説明する図である。
【図４】情報記録媒体の格納コンテンツに対して設定するコンテンツ管理ユニットの暗号化構成例について説明する図である。
【図５】情報記録媒体におけるデータ格納ディレリクトリの構成例について説明する図である。
【図６】情報記録媒体を装着した情報処理装置における後発データの生成または取得処理について説明する図である。
【図７】情報処理装置における後発データの取得処理シーケンスについて説明する図である。
【図８】情報処理装置において生成または取得する後発データの例について説明する図である。
【図９】情報処理装置において生成または取得する後発データの例について説明する図である。
【図１０】情報処理装置において生成または取得した後発データとＣＰＳユニットとの関係について説明する図である。
【図１１】情報処理装置において生成または取得した後発データの再生／コピー制御情報の設定例について説明する図である。
【図１２】情報処理装置において生成または取得した後発データの暗号鍵情報の設定例について説明する図である。
【図１３】ナビケーションファイルの暗号化格納処理構成について説明する図である。
【図１４】ナビケーションファイルの改竄を防止し、改竄の検証を可能とした格納処理構成について説明する図である。
【図１５】情報処理装置において生成または取得した後発データの書き込み処理シーケンスについて説明するフロー図である。
【図１６】情報処理装置において生成または取得した後発データについてＣＰＳユニットとして識別する構成について説明する図である。
【図１７】情報処理装置において生成または取得した後発データについてＣＰＳユニットとして識別し取得するための構成について説明する図である。
【図１８】情報処理装置において生成または取得した後発データについてＣＰＳユニットとして識別する構成について説明する図である。
【図１９】プログラムの実行を情報記録媒体の種別に基づいて制限する処理シーケンスについて説明するフロー図である。
【図２０】プログラムの実行を情報記録媒体の種別に基づいて制限する処理の具体例について説明する図である。
【図２１】情報記録媒体を装着して再生処理または記録処理を実行する情報処理装置の構成例について説明する図である。
【発明を実施するための最良の形態】
【００５３】
以下、図面を参照しながら本発明の情報処理装置、および情報処理方法、並びにコンピュータ・プログラムの詳細について説明する。なお、説明は、以下の記載項目に従って行う。
１．情報記録媒体の格納データ
２．コンテンツ格納構成
３．格納コンテンツの暗号化、利用管理構成
４．後発的に生成したデータまたは取得したデータの管理構成
５．ナビゲーションファイルの暗号化および改竄防止構成
６．情報処理装置が生成または取得した後発データの格納処理
７．情報記録媒体のＣＰＳユニット構成データと情報記録媒体外部に格納したＣＰＳユニット構成データの関連づけ構成
８．プログラム実行条件を限定した処理構成
９．情報処理装置の構成例【００５４】
［１．情報記録媒体の格納データ］
まず、情報記録媒体の格納データについて説明する。図１に、本発明の処理の適用可能なコンテンツの格納された情報記録媒体の一例を示す。【００５５】
情報記録媒体１００は、正当なコンテンツ著作権、あるいは頒布権を持ついわゆるコンテンツ権利者の許可の下にディスク製造工場において製造された正当なコンテンツを格納した情報記録媒体である。なお、以下の実施例では、情報記録媒体の例としてディスク型の媒体を例として説明するが、本発明は様々な態様の情報記録媒体を用いた構成において適用可能である。【００５６】
情報記録媒体１００は、例えばデータ再書き込みの不可能なＲＯＭディスク、あるいは、一部分のデータ領域のみデータ書き込み可能なパーシャルＲＯＭ（Ｐａｒｔｉａｌ  ＲＯＭ）ディスク、あるいは全領域においてデータ書き込み可能なディスクなど、様々な態様の記録媒体である。【００５７】
図１に示すように、情報記録媒体１００にはコンテンツ１０１が格納される。例えば高精細動画像データであるＨＤ（High Definition）ムービーコンテンツなどの動画コンテンツのＡＶ(Audio Visual)ストリームや特定の規格で規定された形式のゲームプログラム、画像ファイル、音声データ、テキストデータなどからなるコンテンツ１０１である。これらのコンテンツには、情報記録媒体１００からのデータのみによって利用可能な情報、あるいは情報記録媒体１００からのデータと、ネットワーク接続されたサーバから提供されるデータとを併せて利用可能となる情報など、様々な態様の情報が含まれる。【００５８】
情報記録媒体１００に格納されるコンテンツ１０１は、少なくとも一部が暗号化コンテンツとして格納されており、暗号化コンテンツの復号処理に適用する鍵の生成に必要となる情報として記録シード（ＲＥＣ  ＳＥＥＤ）１０２が格納される。暗号化コンテンツは、コンテンツの利用管理のため、各々、個別の暗号鍵としてのユニット鍵を適用した暗号化データとして情報記録媒体１００に格納される。記録シード（ＲＥＣ  ＳＥＥＤ）：Ｖｕ１０２は、個別のユニット鍵の生成のために適用する鍵生成情報である。なお、記録シード（ＲＥＣ  ＳＥＥＤ）１０２は情報記録媒体１００に格納される設定のみならず、例えばネットワーク接続されたサーバから取得する設定としてもよい。【００５９】
情報記録媒体１００には、さらに、情報記録媒体１００の識別情報としてのディスクＩＤ１０３、情報記録媒体１００の格納コンテンツの編集スタジオの識別子としてのスタジオＩＤ１０４、情報記録媒体１００の製造単位としてのパッケージ識別子としてのパッケージＩＤ１０５、ディスク種別識別情報１０６が格納される。【００６０】
情報記録媒体１００に格納されるコンテンツは、例えば高精細動画像データであるＨＤ（High Definition）ムービーコンテンツなどの動画コンテンツのＡＶ(Audio Visual)ストリームや特定の規格で規定された形式のゲームプログラム、画像ファイル、音声データ、テキストデータなどからなるコンテンツである。例えば情報記録媒体が、高密度記録可能な青色レーザによるデータ記録ディスクであるＢｌｕ−ｒａｙディスクの場合には、Ｂｌｕ−ｒａｙディスクＲＯＭ規格フォーマットに従ったデータがメインコンテンツとして格納される。【００６１】
さらに、例えばサービスデータとしてのゲームプログラムや、画像ファイル、音声データ、テキストデータなどのコンテンツなど、特定のＡＶデータフォーマットに従わないデータフォーマットを持つデータをサブコンテンツとして格納する場合もある。【００６２】
情報記録媒体１００に格納される様々なコンテンツ１０１は、コンテンツの利用管理のため、各々、個別のユニット鍵を適用した暗号化がなされて情報記録媒体１００に格納される。ユニット鍵を生成する鍵生成情報として記録シード１０２が適用される。【００６３】
すなわち、コンテンツを構成するＡＶ(Audio Visual)ストリーム、音楽データ、動画、静止画等の画像データ、ゲームプログラム、ＷＥＢコンテンツなどは、コンテンツ利用の管理単位としてのユニットに区分され、区分されたユニット毎に異なる記録シード：Ｖｕ１０２が割り当てられ、それぞれのユニットに対応する記録シードに基づいてユニット鍵が生成可能であり、ユニット鍵を適用した暗号化コンテンツの復号処理によって再生が可能となる。【００６４】
例えば、情報記録媒体１００に格納されるＡＶ(Audio Visual)ストリームのコンテンツ利用に際しては、記録シード：Ｖｕ１０２と、図には示していないが、情報記録媒体１００に記録された物理インデックスなどその他の秘密情報を適用した所定の暗号鍵生成シーケンスを実行してユニット対応のユニット鍵を取得して、取得したユニット鍵に基づいてユニットに含まれる暗号化コンテンツの復号処理を行ない再生する。【００６５】
上述したように、情報記録媒体１００に格納される暗号化コンテンツは、コンテンツ利用管理単位としてのユニットに区分されている。このユニットをＣＰＳユニット（コンテンツ管理ユニット）と呼ぶ。ＣＰＳユニット構成および記録シードの対応例を図２に示す。図２には、情報記録媒体に格納されるコンテンツ管理情報としてのＣＰＳユニット管理テーブルと、各ユニット対応の記録シードに基づいて生成可能なＣＰＳユニット鍵の対応を示している。【００６６】
図２のＣＰＳユニット管理テーブルに示すように、ＣＰＳユニットの設定単位は、コンテンツのタイトル、アプリケーション、データグループなど、様々であり、ＣＰＳユニット管理テーブルには、それぞれのＣＰＳユニットに対応する識別子としてのＣＰＳユニットＩＤと、記録シード情報が対応付けられて設定される。【００６７】
図２において、タイトル１はＣＰＳユニット１であり記録シードとしてＶｕ１が対応して設定され、タイトル２はＣＰＳユニット１であり記録シードとしてＶｕ１が対応して設定され、アプリケーション１はＣＰＳユニット２として設定されている。【００６８】
例えば、記録シードＶｕ１に基づいて、ユニット鍵Ｋｕ１が生成され、ユニット鍵Ｋｕ１を適用した暗号処理によって、タイトル１とタイトル２によって判別可能な１つのＣＰＳユニット（ＣＰＳ１）に含まれる暗号化コンテンツの復号処理が可能となる。同様に、記録シードＶｕ２に基づいて、ユニット鍵Ｋｕ２が生成され、ユニット鍵Ｋｕ２を適用した暗号処理によって、アプリケーション１によって判別可能な１つのＣＰＳユニット（ＣＰＳ２）に含まれる暗号化コンテンツの復号処理が可能となる。以下、同様である。【００６９】
なお、ＣＰＳユニット管理テーブルには、情報記録媒体に格納されているコンテンツ以外の、例えばユーザが後発的に生成したデータや外部から取得したデータなどの後発データのためのＣＰＳユニットが設定されている。これらは、後発データに対してユーザが新規に定義可能なＣＰＳユニットである。図２に示すデータフィールド１２１に対応するＣＰＳユニットが後発データ用のユニットとして適用可能である。【００７０】
このＣＰＳユニットは、情報記録媒体に格納されているコンテンツ、例えばプログラムの実行によって取得したデータ、具体的にはゲームの途中経過情報、得点情報などの後発的に生成されるデータや、情報記録媒体に格納されているコンテンツであるＡＶストリームに対応する付属データ、例えば外部サーバから取得した字幕データなど、ユーザが生成または取得した後発データに対する管理ユニットとして設定可能なユニットである。これらの利用形態については、後段で詳細に説明する。【００７１】
［２．コンテンツ格納構成］
図３を参照して、本発明の情報記録媒体に格納されるコンテンツの格納フォーマットについて説明する。【００７２】
情報記録媒体には、図３に示すように、例えば高精細動画像データであるＨＤ（High Definition）ムービーコンテンツなどの動画コンテンツのＡＶストリームをメインコンテンツ２００として格納し、その他のデータ、プログラム、例えばサービスデータとしてのゲームプログラムや、画像ファイル、音声データ、テキストデータなどがサブコンテンツ３００として格納されている。【００７３】
メインコンテンツ２００は、特定のＡＶフォーマット、例えばＢｌｕ−ｒａｙディスクＲＯＭ規格データとして、Ｂｌｕ−ｒａｙディスクＲＯＭ規格フォーマットに従って格納され、サブコンテンツ３００は、Ｂｌｕ−ｒａｙディスクＲＯＭ規格外データとして、Ｂｌｕ−ｒａｙディスクＲＯＭ規格フォーマットに従わない任意のフォーマットで格納される。【００７４】
図３に示すように、Ｂｌｕ−ｒａｙディスクＲＯＭ規格フォーマットに従って格納されるメインコンテンツ２００は、動画コンテンツ（ＡＶストリーム）を再生対象の実コンテンツとして格納しており、Ｂｌｕ−ｒａｙディスクＲＯＭ規格フォーマットに従った階層構成を持つ。すなわち、
（Ａ）アプリケーション２１０
（Ｂ）再生区間指定ファイル（プレイリスト）２３０
（Ｃ）クリップ（コンテンツデータファイル）２４０
である。【００７５】
（Ｃ）クリップ（コンテンツデータファイル）２４０は、それぞれ区分されたコンテンツデータファイルであるクリップ２４１，２４２，２４３を有し、各クリップ２４１は、ＡＶ（Audio-Visual）ストリームファイル２６１とクリップ情報ファイル２５１を持つ。【００７６】
クリップ情報ファイル２５１は、ＡＶ（Audio-Visual）ストリームファイル２６１に関する属性情報を格納したデータファイルである。ＡＶ（Audio-Visual）ストリームファイル２６１は例えばＭＰＥＧ−ＴＳ（Moving Picture Experts Group-Transport Stream）データであり、画像（Ｖｉｄｅｏ）、音声（Ａｕｄｉｏ）、字幕データ等の各情報を多重化したデータ構造となっている。また、再生時に再生装置の制御を行うためのコマンド情報も多重化されている場合がある。【００７７】
（Ｂ）再生区間指定ファイル（プレイリスト）２３０は、複数の再生区間指定ファイル（プレイリスト）２３１，２３２，２３３を持つ。各再生区間指定ファイル（プレイリスト）２３１，２３２，２３３のそれぞれは、クリップ（コンテンツデータファイル）２４０に含まれる複数のＡＶストリームデータファイルのいずれかを選択し、また選択したＡＶストリームデータファイルの特定のデータ部分を、再生開始点と再生終了点として指定するプレイアイテムを１つ以上持つ構成となっており、１つの再生区間指定ファイル（プレイリスト）を選択することで、その再生区間指定ファイル（プレイリスト）の持つプレイアイテムに従って、再生シーケンスが決定されて再生が実行される。【００７８】
例えば再生区間指定ファイル（プレイリスト）２３１を選択してコンテンツ再生を行うと、再生区間指定ファイル（プレイリスト）２３１に対応付けられたプレイアイテム２３４は、クリップ２４１に再生開始点ａと再生終了点ｂを持ち、また、プレイアイテム２３５は、クリップ２４１に再生開始点ｃと再生終了点ｄを持つので、再生区間指定ファイル（プレイリスト）２３１を選択してコンテンツ再生を行うと、クリップ２４１に含まれるコンテンツであるＡＶストリームファイル２６１の特定データ領域、ａ〜ｂとｃ〜ｄが再生されることになる。【００７９】
（Ａ）アプリケーション２１０は、たとえばコンテンツ再生を実行するディスプレイに提示されるコンテンツタイトルを含むアプリケーションインデックスファイル２１１，２１２と再生プログラム２２１，２２２の組み合わせ、または、ゲームコンテンツ、ＷＥＢコンテンツなどのアプリケーション実行ファイル２１３，２１４と再生プログラム２２３，２２４の組み合わせを持つ層として設定される。ユーザは再生対象をアプリケーションインデックスファイル２１１，２１２に含まれるタイトルの選択によって決定することができる【００８０】
各タイトルは、図に示すように、再生プログラム２２１〜２２４の１つの再生プログラム（例えばムービーオブジェクト）に対応付けられており、ユーザが１つのタイトルを選択すると、その選択したタイトルに対応付けられた再生プログラムに基づく再生処理が開始することになる。なお、図に示すタイトル１、タイトル２として示されるアプリケーションインデックスファイル２１１，２１２は、情報記録媒体のセット、起動に際して、自動的に再生されるタイトル、メニューを表示するためのタイトル提示プログラムも含まれる。【００８１】
アプリケーションインデックスファイル２１１，２１２や、アプリケーション実行ファイル２１３，２１４は、アプリケーション実行に使用されるアプリケーションリソースファイルを含む場合がある。また、情報記録媒体、あるいはネットワーク接続サーバから取得可能な様々なデータファイル、例えばＪＰＥＧ，ＰＮＧ，ＢＭＰなどの画像ファイル２２５、ＰＣＭ、圧縮Ａｕｄｉｏなどの音声ファイル２２６、テキスト、データベースなどの各種データファイル２２７がアプリケーションリソースファイルとして適用される場合もある。【００８２】
再生プログラム（例えばムービーオブジェクト）２２１〜２２４は、再生する再生区間指定ファイル（プレイリスト）の指定のほか、ユーザから入力されるコンテンツ再生処理に関する操作情報に対する応答、タイトル間のジャンプ、再生シーケンスの分岐など、再生コンテンツ（ＨＤムービーコンテンツ）の提示に必要な機能をプログラマブルに提供するコンテンツ再生処理プログラムである。各再生プログラム２２１〜２２４は、相互にジャンプ可能であり、ユーザの入力、あるいはあらかじめ設定されたプログラムに従って、実際に実行される再生プログラムが選択され、選択された再生プログラムの指定する再生区間指定ファイル（プレイリスト）２３０によって、再生コンテンツがクリップ２４０から選択され再生される。【００８３】
メインコンテンツ２００は、図に示すように、例えばＢｌｕ−ｒａｙディスクＲＯＭ規格データとして、Ｂｌｕ−ｒａｙディスクＲＯＭ規格フォーマットに従った階層構成で管理され、この階層構成の枠組みに対して、コンテンツ管理ユニット（ＣＰＳユニット）が設定され、コンテンツ管理ユニット（ＣＰＳユニット）単位でコンテンツの利用管理がなされる。コンテンツ管理ユニット（ＣＰＳユニット）についての詳細は後述する。【００８４】
情報記録媒体には、メインコンテンツ２００の他にサブコンテンツ３００が併せて格納される。サブコンテンツ３００は、特定のＡＶフォーマット、例えばＢｌｕ−ｒａｙディスクＲＯＭ規格フォーマットに従わない任意のフォーマットで格納されるコンテンツである。【００８５】
サブコンテンツ３００は、例えばサービスデータとしてのゲームプログラムや、画像ファイル、音声データ、テキストデータなどであり、複数のデータファイルからなる集合がデータグループとして設定される。【００８６】
図３にはデータグループ１，３１１〜データグループＮ，３１２を示している。これらのデータグループも利用管理対象コンテンツとして設定可能であり、利用管理対象コンテンツとして設定した場合には、各データグループを単位としたコンテンツ管理ユニット（ＣＰＳユニット）が設定され、データグループ単位で利用管理がなされる。【００８７】
［３．格納コンテンツの暗号化、利用管理構成］
次に、図４以下を参照して、情報記録媒体に格納されたコンテンツをコンテンツ管理ユニット（ＣＰＳユニット）に区分して、各ユニット毎に異なる利用制御を実現するコンテンツ管理構成について説明する。【００８８】
先に図２を参照して説明したように、コンテンツ管理ユニット（ＣＰＳユニット）の各々に対して、異なる暗号鍵としてユニット鍵が割り当てられる。１つのユニット鍵を割り当てる単位がコンテンツ管理ユニット（ＣＰＳユニット）である。なお、ユニット鍵は、ユニットに対応する記録シードに基づいて生成可能な鍵である。【００８９】
それぞれのユニット鍵を適用して各ユニットに属するコンテンツを暗号化し、コンテンツ利用に際しては、各ユニットに割り当てられたユニット鍵を取得して再生を行う。各ユニット鍵は、個別に管理することが可能であり、例えばあるユニットＡに対して割り当てるユニット鍵は、情報記録媒体から取得可能な鍵として設定する。また、ユニットＢに対して割り当てるユニット鍵は、ネットワーク接続されるサーバにアクセスし、ユーザが所定の手続きを実行したことを条件として取得することができる鍵とするなど、各ユニット対応の鍵の取得、管理構成は、各ユニット鍵に独立した態様とすることが可能である。【００９０】
１つの鍵を割り当てる単位、すなわち、コンテンツ管理ユニット（ＣＰＳユニット）の設定態様について、図４を参照して説明する。【００９１】
まず、メインコンテンツ２００側におけるコンテンツ管理ユニット（ＣＰＳユニット）の設定構成について説明する。【００９２】
メインコンテンツ２００側においては、（Ａ）アプリケーション２１０に含まれる１つ以上のタイトルを含むアプリケーションインデックスファイル２１１，２１２、またはアプリケーション実行ファイル２１３，２１４等を含むＣＰＳユニットを設定する。【００９３】
図４に示すＣＰＳユニット１，４０１は、アプリケーションインデックスファイルと、再生プログラムファイルと、プレイリストと、コンテンツ実データとしてのＡＶストリームファイル群とを１つのユニットとして設定したユニットである。【００９４】
また、ＣＰＳユニット２，４０２は、アプリケーション実行ファイルと、再生プログラムファイルと、プレイリストと、コンテンツ実データとしてのＡＶストリームファイル群とを１つのユニットとして設定したユニットである。【００９５】
また、ＣＰＳユニット３，４０３は、アプリケーション実行ファイルと、再生プログラムファイルと、情報記録媒体、あるいはネットワーク接続サーバから取得可能な様々なデータファイルによって構成したユニットである。【００９６】
これらの各ユニットは、同一の鍵（ＣＰＳユニット鍵：図４中の鍵Ｋｕ１，Ｋｕ２，Ｋｕ３）でそれぞれ個別に暗号化して情報記録媒体に格納される。【００９７】
図４中、コンテンツ管理ユニット（ＣＰＳユニット）１，４０１、およびコンテンツ管理ユニット（ＣＰＳユニット）２，４０２は、上位層の（Ａ）アプリケーションと、下位層の（Ｂ）再生区間指定ファイル（プレイリスト）＋（Ｃ）クリップ（コンテンツデータファイル）によって構成されるユニットであり、コンテンツ管理ユニット（ＣＰＳユニット）３，４０３は、下位層の（Ｂ）再生区間指定ファイル（プレイリスト）＋（Ｃ）クリップ（コンテンツデータファイル）を含まず、上位層の（Ａ）アプリケーション層、および情報記録媒体、あるいはネットワーク接続サーバから取得可能な様々なデータファイルすなわち、画像ファイル２２５、音声ファイル２２６、データファイル２２７等によって構成されるユニットである。【００９８】
コンテンツ管理ユニット（ＣＰＳユニット）１，４０１には、タイトル１，２１１とタイトル２，２１２、再生プログラム２２１，２２２、プレイリスト２３１，２３２、クリップ２４１、クリップ２４２が含まれ、これらの２つのクリップ２４１，２４２に含まれるコンテンツの実データであるＡＶストリームデータファイル２６１，２６２がコンテンツ管理ユニット（ＣＰＳユニット）１，４０１に対応付けて設定される暗号鍵であるユニット鍵：Ｋｕ１を適用して暗号化される。【００９９】
また、コンテンツ管理ユニット（ＣＰＳユニット）２，４０２には、ゲームコンテンツ、ＷＥＢコンテンツなどによって構成されるアプリケーションファイル２１３と、再生プログラム２２３、プレイリスト２３３、クリップ２４３が含まれ、クリップ２４３に含まれるコンテンツの実データであるＡＶストリームデータファイル２６３がコンテンツ管理ユニット（ＣＰＳユニット）２，４０２に対応付けて設定される暗号鍵としてのユニット鍵：Ｋｕ２を適用して暗号化される。さらに、アプリケーションファイル２１３についても、ユニット鍵：Ｋｕ２を適用した暗号化ファイルとしてもよい。【０１００】
コンテンツ管理ユニット（ＣＰＳユニット）３，４０３は、上位層の（Ａ）アプリケーション層に含まれるアプリケーションファイル２１４，２１５と、再生プログラム２２４、さらに、再生プログラム２２４によって情報記録媒体、あるいはネットワーク接続サーバから取得可能な様々なデータファイル、例えばＪＰＥＧ，ＰＮＧ，ＢＭＰなどの画像ファイル２２５、ＰＣＭ、圧縮Ａｕｄｉｏなどの音声ファイル２２６、テキスト、データベースなどの各種データファイル２２７が含まれるユニットとして設定される。【０１０１】
コンテンツ管理ユニット（ＣＰＳユニット）３，４０３は、コンテンツ管理ユニット（ＣＰＳユニット）３，４０３に対応付けて設定される暗号鍵としてのユニット鍵：Ｋｕ３を適用して暗号化される。【０１０２】
例えば、ユーザがコンテンツ管理ユニット１，４０１に対応するアプリケーションファイルまたはコンテンツ再生処理を実行するためには、コンテンツ管理ユニット（ＣＰＳユニット）１，４０１に対応付けて設定された記録シードＶｕ１を適用した暗号処理により、ユニット鍵：Ｋｕ１を取得して、取得したユニット鍵Ｋｕ１を適用したコンテンツの復号処理シーケンスを実行することが必要であり、復号処理を実行後、アプリケーションプログラムを実行してコンテンツ再生を行なうことができる。【０１０３】
例えば、コンテンツ管理ユニット３，４０３に対応するアプリケーションファイルまたは、再生プログラム２２４に対応付けられた画像ファイル２２５、ＰＣＭ、圧縮Ａｕｄｉｏなどの音声ファイル２２６、テキスト、データベースなどの各種データファイル２２７の利用処理を行なう場合は、コンテンツ管理ユニット（ＣＰＳユニット）３，４０３に対応付けて設定された暗号鍵としてのユニット鍵：Ｋｕ３を取得して、復号処理を実行することが必要であり、復号処理を実行後、アプリケーションプログラムを実行または各種ファイルを実行することになる。【０１０４】
上述した各種のコンテンツ管理ユニット（ＣＰＳユニット）に対応するコンテンツおよび鍵情報などの管理情報を格納するディレクトリ構成例について、図５を参照して説明する。【０１０５】
図５に示すディレクトリ構成は、メインコンテンツデータ部５０２、サブコンテンツデータ部５０３と、メインコンテンツとサブコンテンツに対応するコンテンツ管理データ部５０１を設定した構成である。メインコンテンツデータ部５０２に示すＢＤＭＶディレクトリはＢｌｕ−ｒａｙ  Ｄｉｓｃ  ＲＯＭフォーマットに従ったコンテンツ、アプリケーションを保管するディレクトリとして設定されている。【０１０６】
Ｂｌｕ−ｒａｙ  Ｄｉｓｃ  ＲＯＭフォーマットに従ったメインコンテンツは、先に図３、図４を参照して説明したように、タイトル、オブジェクト、プレイリスト、クリップ情報、ＡＶストリーム等の階層構成を持ち、これらを構成するデータファイルがＢＤＭＶディレクトリに設定される。【０１０７】
サブコンテンツデータ部５０３のＤａｔａディレクトリは、Ｂｌｕ−ｒａｙ  Ｄｉｓｃ  ＲＯＭフォーマットに従っていないフォーマットを持つコンテンツ、アプリケーションを各グループ毎に保管するディレクトリとして設定されている。サブコンテンツデータ部５０３のＤａｔａ  Ｇｒｏｕｐ  ｉｎｆは、サブコンテンツの各グループ情報を格納したファイルである。【０１０８】
管理データ部５０１には、メインコンテンツとサブコンテンツの両コンテンツに対応する管理ファイルが格納される。例えば、前述した図２に示したコンテンツ管理ユニット（ＣＰＳユニット）毎のＣＰＳユニットＩＤと記録シード情報を対応付けて設定したＣＰＳユニット管理テーブル、さらに、各ユニットに対応して設定されるコンテンツの再生制御情報、コピー制御情報が格納される。【０１０９】
コンテンツの再生制御情報、コピー制御情報は、各ＣＰＳユニット毎に個別の情報として設定される。例えば、
［ＣＰＳユニット１］
記録媒体に対するコピー許容回数：ａ回、再生許容回数：ｂ回、遠隔再生可否：可・・
［ＣＰＳユニット２］
記録媒体に対するコピー許容回数：０回、再生許容回数：ｃ回、遠隔再生可否：否・・
などのように、情報記録媒体に格納された各ＣＰＳユニット毎に個別のコンテンツ利用制御情報が設定されている。【０１１０】
［４．後発的に生成したデータまたは取得したデータの管理構成］
上述したように、情報記録媒体に格納済みのコンテンツは、ＣＰＳユニットに区分され、各ＣＰＳユニットに対応する暗号鍵としてのＣＰＳユニット鍵を記録シードを適用して取得することで、利用可能となる。【０１１１】
情報記録媒体に格納済みのコンテンツとは異なるデータ、例えば、情報記録媒体に格納されたプログラムに従って生成されたデータ、具体的には、ゲームプログラムを実行して生成した途中経過のデータや、キャラクタデータ、あるいは、ネットワークを介してサーバなどから取得したデータ、このような、何らかのユーザの処理によって後発的に生成または取得したデータの管理処理について、以下説明する。【０１１２】
図６に情報記録媒体に格納済みのコンテンツに関連するデータの生成、取得処理例を示す。【０１１３】
図６には、情報記録媒体の再生処理を実行する例えばＰＣ等の情報処理装置６００を示している。情報処理装置６００は、コンテンツ再生処理を実行する例えばＣＰＵなどのプログラム実行機能を持つ制御部６０１、ハードディスク等によって構成されるデータ記憶部６０２、情報記録媒体に対するデータ入出力を行なう記録媒体インタフェース６０３、プログラムの実行領域、パラメータ格納領域などに利用されるＲＯＭ，ＲＡＭによって構成されるメモリ６０４、ネットワークを介した通信を実行する通信インタフェース６０５を有する。なお、図６に示す情報処理装置６００の構成は、後発データの生成、取得処理について説明するための最小限の構成を示しているものであり、具体的な情報処理装置のハードウェア構成例については後段で説明する。【０１１４】
情報処理装置６００は、情報記録媒体１００から記録媒体インタフェース６０３を介して情報記録媒体１００に格納されたＣＰＳユニットに区分されたコンテンツを読み取り、コンテンツの再生処理を、制御部６０１の制御の下に行なう。【０１１５】
情報記録媒体１００には、例えば、図３、図４を参照して説明したように、Ｂｌｕ−ｒａｙ  Ｄｉｓｃ  ＲＯＭ規格に基づいて記録されたコンテンツが格納されている。各コンテンツはＣＰＳユニットに区分され暗号化処理が施されている。【０１１６】
情報処理装置６００は、ＣＰＳユニット対応の記録シードに基づいてＣＰＳユニット鍵を生成して、コンテンツを再生する。コンテンツには例えばゲーム、あるいはＡＶストリーム再生プログラムなどの各種のプログラム、ＡＶストリームデータなどが含まれる。【０１１７】
情報処理装置６００が、情報記録媒体１００からのデータ読み取りに基づいて、後発的にデータを生成、あるいは取得する態様としては次の２つの態様がある。【０１１８】
１つ目は、情報処理装置６００が解析可能な情報を、情報記録媒体１００から読み取り、読み取り情報に基づいて、新規データを取得または生成する場合である。例えば情報記録媒体１００内に後発データの取得先に対応するＵＲＬ情報が記述してあり、情報記録媒体１００が、このＵＲＬ情報を取得して、ブラウザーを使用して通信ＩＦ６０５およびネットワークを介してＵＲＬによって指定されるサーバ６１１などにアクセスし、ＵＲＬ対応の新規コンテンツなどのデータをダウンロードする処理である。コンテンツダウンロード以外にも、情報記録媒体１００からの読み取り情報に基づいて、情報処理装置６００内で新規データを生成する場合がある。【０１１９】
２つ目は、情報記録媒体１００内に記録されたアプリケーションプログラムによるものである。例えば、情報処理装置６００において、情報記録媒体１００から読み取ったプログラムを実行し、プログラムに従って、通信ＩＦ６０５およびネットワークを介して特定のサーバ６１１に接続しコンテンツをダウンロードする、あるいは、情報処理装置６００において、プログラムの実行により後発的なデータが生成される場合がある。【０１２０】
このような様々な処理により生成または取得されたデータは、情報記録媒体１００内に記録されたコンテンツの管理区分であるＣＰＳユニットに属するデータではないが、本発明の構成においては、これら後発的なデータを特定のＣＰＳユニットに属するデータとして管理する。【０１２１】
具体的には、情報記録媒体１００に格納されたＣＰＳユニット対応のコンテンツに基づいて生成または取得した後発データについては、同一のＣＰＳユニットに属するデータとして管理する。あるいは新規なＣＰＳユニットを別途定義して新たなＣＰＳユニットにより管理する。【０１２２】
図７に情報記録媒体の格納コンテンツに基づいて、外部サーバから後発データを取得する処理シーケンスを示す。ステップＳ１０１において、情報処理装置は、情報記録媒体からＣＰＳユニットによって管理されたコンテンツを読み出す。例えばＣＰＳユニットＡに属するコンテンツを読み出したものとする。【０１２３】
情報処理装置は、ダウンロードデータの指定情報、例えばＵＲＬなどを情報記録媒体から読み出すとともに、読み出しコンテンツに対応するＣＰＳユニットの識別子としてのＣＰＳユニットＩＤを取得し、ステップＳ１０２において、これらのデータ、すなわちＣＰＳユニットＩＤと、ダウンロードデータ指定情報をサーバに送信する。【０１２４】
サーバは、予め定められた認証シーケンスによって、正当な情報記録媒体から取得したＣＰＳユニットＩＤであるかなどの認証処理を実行し、データ要求の正当性を検証し、正当性が確認された場合に、ステップＳ１０３において、要求されたダウンロードデータを情報処理装置に送信する。例えばこのダウンロードデータは、ＡＶストリームの吹き替え音声データであったり、字幕データであったり、あるいは特定のコンテンツの再生プログラムなどである。【０１２５】
情報処理装置は、ステップＳ１０４において、サーバから取得したダウンロードデータを情報記録媒体、あるいは、情報処理装置内のハードディスクなどの記憶部に格納する。いずれの場合もＣＰＳユニットＩＤによって特定される同一のＣＰＳユニットＡに属するデータとして格納、管理され、ＣＰＳユニットＡに対して設定される記録シードＶｕ（ａ）を適用して生成されるＣＰＳユニット鍵Ｋｕ（ａ）を適用した暗号処理によってか暗号化されて格納される。【０１２６】
図７を参照して説明したシーケンスでは、情報処理装置がサーバに対してダウンロードデータを要求する際、ＣＰＳユニットＩＤとダウンロードデータ指定情報を送信する設定としてあるが、これは、ＣＰＳユニットＩＤの送信を行なうことで、以下のような管理が可能となるからである。
（１）サーバにおいてＣＰＳユニットごとにダウンロードデータの管理が可能となる。
（２）ＣＰＳユニットごとに、ダウンロードの可否、課金処理などを管理している場合、いったんダウンロード可能となったＣＰＳユニットに関しては次回よりＣＰＳユニットＩＤを送信するだけでダウンロードを開始することができる。
（３）情報記録媒体上でＣＰＳユニットごとに定義された鍵（ユニット鍵）を用いてダウンロードデータの暗号化を行う場合、サーバで暗号化処理を行うためにはＣＰＳユニットＩＤが必要となる。サーバではユニットＩＤに対応したＣＰＳユニット鍵を保持し、保持したＣＰＳユニット鍵を適用して暗号化したデータを送信することでセキュアなデータ送信が可能となる。【０１２７】
なお、ダウンロードデータ指定情報としては、ＵＲＬなどの情報以外に、例えば、Ｂｌｕ−ｒａｙ  Ｄｉｓｃ  ＲＯＭ規格等で定められた値であるスタジオＩＤ、パッケージＩＤ、タイトルＩＤ、ムービーオブジェクトのＩＤ、プレイリストのＩＤ、再生区間情報（開始点、終了点のタイムスタンプ）、なども適用可能であり、また、Ｂｌｕ−ｒａｙ  Ｄｉｓｃ  ＲＯＭ規格等で定められていない値をダウンロードデータ指定情報として用いてもよい。例えば、ユーザＩＤ、課金状況などのユーザ付属情報、日時情報、コンテンツ再生において情報処理装置側で生成される管理データ、例えば再生回数、再生済み範囲、ゲームの得点、マルチストーリーの再生パス情報など、サーバ側でダウンロードデータを特定可能な情報であれば、様々なデータがダウンロードデータ指定情報として適用できる。【０１２８】
次に、情報処理装置が生成または取得するデータの具体例について、図８、図９を参照して説明する。【０１２９】
図８には、Ｂｌｕ−ｒａｙ  Ｄｉｓｃ  ＲＯＭ規格フォーマットに従ったデータの一部を後発データとして生成または取得する例を示している。先に、図３、図４を参照して説明したように、Ｂｌｕ−ｒａｙ  Ｄｉｓｃ  ＲＯＭ規格フォーマットに従って情報記録媒体に格納されたコンテンツは階層構成を持ち、各階層のデータ、プログラムが関連付けられて例えばＡＶストリームのコンテンツ再生処理が可能となる。【０１３０】
図８に示す情報記録媒体６２１には、Ｂｌｕ−ｒａｙ  Ｄｉｓｃ  ＲＯＭ規格フォーマットに従ったコンテンツとして、３つのタイトル［タイトル１］、［タイトル２］、［タイトル３］に対応付けられたＣＰＳユニット１，２，３が設定されている。【０１３１】
この３つのＣＰＳユニット中、２つのタイトル［タイトル１］、［タイトル２］に対応付けられたＣＰＳユニット１，ＣＰＳユニット２には、各タイトルに対応する再生プログラムとしてのムービーオブジェクト１，２が格納され、ユーザは、情報処理装置に情報記録媒体をセットし、［タイトル１］または［タイトル２］を指定することで、再生プログラムとしてのムービーオブジェクト１，２のいずれかを実行させて、プレイリストによって指定される区間のクリップファイル、すなわちＡＶストリームデータを再生することができる。ただし、それぞれのＣＰＳユニットに対応する記録シードを管理データから取り出してＣＰＳユニット鍵を生成してＡＶストリームなどの暗号化データを復号することが必要である。【０１３２】
しかし、ＣＰＳユニット３には、タイトル３に対応する再生プログラムとしてのムービーオブジェクト３が格納されておらず、ＣＰＳユニット内に含まれるクリップファイル、すなわちＡＶストリームデータを再生することができない。この場合、情報処理装置は、タイトル３に対応する再生プログラムとしてのムービーオブジェクト３の生成または取得処理を実行し後発データ６２２としてムービーオブジェクト３を生成または取得する。生成または取得したムービーオブジェクト３は、ＣＰＳユニット３の構成データとして管理される。【０１３３】
図９は、後発的に情報処理装置が生成または取得するデータのその他の具体例について示した図である。【０１３４】
情報処理装置６００は、複数のＣＰＳユニットによって管理されたコンテンツを格納した情報記録媒体１００を再生する。【０１３５】
例えば、ＣＰＳユニットＡ６４０はゲームプログラムを含むコンテンツ管理ユニットであり、情報処理装置６００がゲームプログラムを実行することにより、ゲームの途中終了情報、ゲーム得点情報などの後発データ６４１，６４２が生成される。これらのデータは、情報処理装置６００において、ＣＰＳユニットＡ６４０の構成データとして設定する処理が実行されて、情報記録媒体１００または情報処理装置６００内のハードディスクなどの記憶部に格納される。【０１３６】
また、ＣＰＳユニットＢ６５０は映画などの動画等のＡＶストリームコンテンツを含むコンテンツ管理ユニットであり、情報処理装置６００は、ＡＶストリームコンテンツに対応する字幕データからなる後発データ６５１をサーバ６１１から取得して、再生を行なう。取得した字幕データ６５１は、情報処理装置６００において、ＣＰＳユニットＢ６５０の構成データとして設定する処理が実行されて、情報記録媒体１００または情報処理装置６００内のハードディスクなどの記憶部に格納される。【０１３７】
なお、いずれの処理の場合においても、後発的に生成したデータまたは取得したデータについて新たなＣＰＳユニットを設定し、設定した新規ＣＰＳユニットの構成データとして情報記録媒体１００または情報処理装置６００内のハードディスクなどの記憶部に格納する構成としてもよい。これらのユニットとしては、先に図２を参照して説明した新規データに対応するＣＰＳユニットが対応付けられて設定される。それぞれのＣＰＳユニットに対応する記録シードＶｕは予め情報記録媒体に格納されており、その記録シードを適用して、予め定められた暗号処理シーケンスを実行してＣＰＳユニット鍵を生成し、生成したＣＰＳユニット鍵を適用して、生成データまたは取得データの暗号化を実行して情報記録媒体１００または情報処理装置６００内のハードディスクなどの記憶部に格納する。【０１３８】
なお、新たに設定するＣＰＳユニットに対応する記録シードＶｕについては、外部のサーバから取得する設定としてもよい。ただし、記録シードＶｕを提供するサーバと情報処理装置間において所定の認証処理を実行し、不正な記録シード取得を防止した構成とすることが望ましい。ここで、取得する記録シードＶｕは、図２で示す管理テーブルの単位での取得も含む。【０１３９】
後発的に生成したデータまたは取得したデータの暗号化および管理態様について図１０を参照して説明する。【０１４０】
図１０には、情報記録媒体に格納されたコンテンツの再生処理に対応して生成または取得するデータを情報記録媒体内部または外部に記録する場合のデータ暗号化方法の例を示している。【０１４１】
図１０において、左側のデータ領域は、情報記録媒体に格納済みのデータ、すなわちＲＯＭ領域データ６６０であり、右側のデータ領域は、新規生成または取得データとしての後発データ６７０である。新規生成または取得データは、情報記録媒体のデータ書き込み可能な領域またはハードディスク、あるいは携帯メモリなど外部の記憶手段に格納される。図１０には、新規生成または取得データに対するＣＰＳユニット設定例として２つの例を示している。【０１４２】
（設定例１）
図１０に示すＣＰＳユニット３，６８１に示すように、後発データ６７１を、情報記録媒体に設定済みのＣＰＳユニットに一体化する処理例である。【０１４３】
ＣＰＳユニット３，６８１は、情報記録媒体に格納済みのデータ、すなわち、データ領域６６０において設定済みのＣＰＳユニット３であり、このＣＰＳユニット３，６８１に、新規生成または取得した後発データ６７１を含めて、１つのユニットとする構成である。この場合、後発データ６７１、または後発データ６７１に含まれるデータは、ＣＰＳユニット３に対応して設定されている記録シードＶｕ３を適用して生成されるユニット鍵Ｋｕ３を用いて暗号化されて情報記録媒体またはハードディスクなどの記憶部に格納される。【０１４４】
この構成例では、情報記録媒体のＲＯＭ領域において定義済みのＣＰＳユニットに対応するユニット鍵と同じ鍵を使用して生成データの暗号化を行う構成であり、再生処理においては、情報記録媒体のＲＯＭ領域において定義済みのＣＰＳユニットに含まれていたデータと同様の鍵を適用して後発データ６７１の復号処理を実行することが可能であり、鍵の切り替え処理が不要となりシームレスな再生が可能となる。【０１４５】
（設定例２）
図１０に示すＣＰＳユニット４，６８２に示すように、後発データ６７２を、情報記録媒体に設定済みのＣＰＳユニットとは異なる新規のＣＰＳユニットを設定して管理する処理例である。【０１４６】
このように後発データ６７２用に別途ＣＰＳユニット４，６８２を定義し、それに対応したユニット鍵を用いて後発データ６７２に含まれるデータの暗号化を行う。ＣＰＳユニット４，６８２は、情報記録媒体に記録されているデータとは独立な管理がなされる。この場合、後発データ６７２用にＣＰＳユニットを割り当てるための情報、およびユニット鍵を生成するための情報を別途、管理データとして設定して記録する必要がある。【０１４７】
図１１を参照して、新規生成または取得した後発データに対応する管理データとしての再生／コピー制御情報の設定例について説明する。【０１４８】
図１１には、予め情報記録媒体１００に格納されたＣＰＳ管理ユニット構成に対応するディレクトリＡと、新たに生成または取得した後発データに対応するディレクトリＢとを示している。図１１に示す例は、いずれもＢｌｕ−ｒａｙ  Ｄｉｓｃ  ＲＯＭ規格フォーマットに従ったコンテンツとして［ＢＤＭＶ］ディレクトリに各データが設定され、［ＣＰＳ］ディレクトリに各種の管理データが格納される。【０１４９】
再生／コピー制御情報を記録する方法としては、以下の２つの設定例のいずれかを適用する。
（設定例１）
既存の再生／コピー制御情報を後発データの再生／コピー制御情報として適用する。
これは、図１１に示すように情報記録媒体１００に予め格納されたＣＰＳユニット００１のデータ［０１００１．ｍ２ｔｓ］７１５に対応する再生／コピー制御情報［ＣＰＳＵｎｉｔ００１．ｃｃｉ］７１３をそのまま、新たに生成または取得した後発データ［０１００３．ｍ２ｔｓ］７１２に対応する再生／コピー制御情報として適用する。この場合、後発データ［０１００３．ｍ２ｔｓ］７１２に対応する再生／コピー制御情報を新たに生成することは不要であり、ＣＰＳユニット００１の再生／コピー制御情報［ＣＰＳＵｎｉｔ００１．ｃｃｉ］７１３が、既存データ［０１００１．ｍ２ｔｓ］７１５と、後発データ［０１００３．ｍ２ｔｓ］７１２の双方に適用される再生／コピー制御情報として設定される。【０１５０】
（設定例２）
後発データの再生／コピー制御情報を新たに生成する。
これは、図１１に示すように後発データ［０１００２．ｍ２ｔｓ］７１１に対応する再生／コピー制御情報として、新たな再生／コピー制御情報［ＣＰＳＵｎｉｔ００２．ｃｃｉ］７１４を生成して、管理データとする例である。【０１５１】
（設定例１）のケースは、例えば情報記録媒体１００のＲＯＭ領域に記録されていない言語の字幕データをダウンロードして取得し、ＲＯＭ領域に記録されている映像・音声データと合わせて再生する場合などに適した方法である。この場合、ＲＯＭ領域に記録されたデータ、ダウンロードしたデータの両方が１つのＣＰＳユニットに属すると考えて処理を行うことが自然である。【０１５２】
また、（設定例２）のケースは、情報記録媒体１００から読み出したアプリケーションプログラムを実行して生成したデータを複数のユーザ間で共有／コピーが可能となるようにしたい場合などに適している。実行アプリケーションやＡＶストリームなどのＲＯＭ領域に記録されたデータはコピー不可であるが、実行アプリケーションによって生成されるデータ（ゲームの得点情報、地図情報など他のユーザへの送信や、携帯機器などへの持ち出しニーズがある情報）はＲＯＭ領域と異なる再生／コピー制御が可能となる。【０１５３】
図１２は、暗号鍵、すなわち各ＣＰＳユニットに対応するユニット鍵の生成情報としての記録シードの設定例を示した図である。【０１５４】
図１１と同様、予め情報記録媒体１００に格納されたＣＰＳ管理ユニット構成に対応するディレクトリＡと、新たに生成または取得した後発データに対応するディレクトリＢとを示している。図１２に示す例は、いずれもＢｌｕ−ｒａｙ  Ｄｉｓｃ  ＲＯＭ規格フォーマットに従ったコンテンツとして［ＢＤＭＶ］ディレクトリに各データが設定され、［ＣＰＳ］ディレクトリに各種の管理データが格納される。【０１５５】
記録シードは、先に図２を参照して説明したようにＣＰＳユニット管理テーブルにおいて、各ＣＰＳユニット識別子（ＣＰＳユニットＩＤ）に対応付けて管理される。図１２に示す暗号鍵情報［Ｕｎｉｔ  Ｋｅｙ  Ｇｅｎ  Ｖａｌｕｅ．ｉｎｆ］７２１が、情報記録媒体１００に格納されたＣＰＳユニット管理テーブルである。【０１５６】
後発データに対応して設定されるＣＰＳユニット対応の記録シードの設定方法としては、以下の２つの設定例のいずれかを適用する。【０１５７】
（設定例１）
後発データの暗号鍵生成情報としての記録シードとして、ＣＰＳユニット管理テーブルに予め設定済みの新規データ用の記録シードを使用する。
これは、先に図２を参照して説明したＣＰＳユニット管理テーブル中の新規データ用フィールド１２１（図２参照）に設定済みの記録シードを後発データの暗号鍵生成情報としての記録シードとして使用する構成である。図１２において、後発データ［０１００３．ｍ２ｔｓ］７２４に対応させて、情報記録媒体１００に格納されている管理テーブルデータである暗号鍵情報［Ｕｎｉｔ  Ｋｅｙ  Ｇｅｎ  Ｖａｌｕｅ．ｉｎｆ］７２１の新規データ用フィールド１２１（図２参照）に設定済みの記録シードを対応付ける。この設定例では、新たなＣＰＳユニットを定義して、新規データ用フィールド１２１（図２参照）に設定済みの記録シードを適用することが可能である。【０１５８】
（設定例２）
後発データの暗号鍵生成情報としての記録シードとして、新たに生成または取得した記録シードを使用する。図１２において、後発データ［０１００２．ｍ２ｔｓ］７２３に対応させて、新たな管理テーブルデータとしての暗号鍵情報［Ｕｎｉｔ  Ｋｅｙ  Ｇｅｎ  Ｖａｌｕｅ．ｉｎｆ］７２２を設定し、新規エントリとして新規設定したＣＰＳユニット識別子と生成または取得した記録シードとを対応付けて格納する。なお、記録シードの生成が許容される場合、情報処理装置は、情報処理装置内のデータ処理部において、例えば乱数を生成して新たな記録シードを生成する。この設定例においては、新たなデータについて、無制限にＣＰＳユニットの設定、記録シードの生成が可能となる。【０１５９】
なお、情報処理装置において、新たなＣＰＳユニットを設定した場合は、その新規設定ＣＰＳユニットに対応する管理データ、すなわち、再生／コピー制御情報を対応付けることが必要となるが、これは、前述した図１１の２つの手法のいずれか、すなわち既存の再生／コピー制御情報を対応付けるか、あるいは新規の再生／コピー制御情報を設定して対応付けるかのいずれかの方法が適用される。【０１６０】
［５．ナビゲーションファイルの暗号化および改竄防止構成］
図１１、図１２を参照して説明した例では、後発的なデータ中、ＡＶストリームデータファイルのみの暗号化構成を説明した。例えば図１１に示す後発データ［０１００２．ｍ２ｔｓ］７１１、後発データ［０１００３．ｍ２ｔｓ］７１２等のＡＶストリームデータを暗号化して情報記録媒体のデータ書き込み可能な領域またはハードディスク、あるいは携帯メモリなど外部の記憶手段に格納する構成例である。【０１６１】
しかし、後発的データには、ＡＶストリームデータのみならず、タイトルインデックス、ムービーオブジェクト、プレイリストファイル、クリップ情報ファイルなどのファイルも含まれる。これらのファイルについても正規の再生アプリケーションソフトからのみアクセス可能とし、例えばＰＣ上で動作する他の様々なアプリケーションからのアクセスを排除する構成とすることが好ましい。またＡＶストリームデータを含むファイルについて改竄を防止し、改竄検証を可能とした構成とすることが好ましい。なお、ＡＶストリーム以外のファイルであるタイトルインデックス、ムービーオブジェクト、プレイリストファイル、クリップ情報ファイルを総称してナビケーションファイルと呼ぶ。図１３、図１４を参照してこれらナビケーションファイルについての暗号化格納構成、および電子署名データの付与による改竄防止、検証構成について説明する。【０１６２】
図１３は、ＡＶストリームデータファイルに加え、ＡＶストリーム以外のナビゲーションファイルであるタイトルインデックス、ムービーオブジェクト、プレイリストファイル、クリップ情報ファイルの各々について、各ファイル毎に個別に暗号化して格納する構成例を説明する図である。【０１６３】
図１３に示す記憶手段７５０は、後発データを格納する情報記録媒体のデータ書き込み可能な領域またはハードディスク、あるいは携帯メモリなど外部の記憶手段に相当する。記憶手段７５０に記憶される後発データとしては、図に示すＡＶストリームデータファイル７５５に加え、ＡＶストリーム以外のナビゲーションファイルであるタイトルインデックスファイル７５１、ムービーオブジェクトファイル７５２、プレイリストファイル７５３、クリップ情報ファイル７５４が含まれる。これらのナビゲーションファイル、ＡＶストリームデータファイルのすべてをファイル単位で暗号化して格納する。プレイリストファイル７５３、クリップ情報ファイル７５４は、ＡＶストリームデータファイル７５５と同様、ＣＰＳユニット毎に個別のファイルとして設定され、暗号化は、各ファイル単位で実行する構成となっている。【０１６４】
この暗号化処理に適用する暗号鍵は、正当なライセンスを受けた再生アプリケーションソフトのみが生成または取得可能とした構成が好ましい。例えば、正当なライセンスを受けた再生アプリケーションソフトのみが取得可能な情報を暗号鍵とするか、あるいは、このような限定された情報に基づいて暗号鍵を生成する。その１つの具体例が各ＣＰＳユニット対応のユニット鍵を暗号鍵として適用する構成である。図１３に示すＡＶストリームデータファイル７５５、および、ＡＶストリーム以外のナビゲーションファイルであるタイトルインデックスファイル７５１、ムービーオブジェクトファイル７５２、プレイリストファイル７５３、クリップ情報ファイル７５４のそれぞれを各ファイルが属するＣＰＳユニットに対応付けられたユニット鍵を適用して暗号化を実行して格納する。再生処理の実行時には、各ファイルに対応するＣＰＳユニットのユニット鍵を取得して、取得ユニット鍵を適用した復号処理を実行する。【０１６５】
さらに、ＣＰＳユニットに対応するユニット鍵を適用することなく、その他の情報を鍵生成情報として用いる構成としてもよい。ただし、ＣＰＳユニットのデータファイルの再生を許容された正当な再生アプリケーション以外のその他のアプリケーションによって暗号鍵の生成を可能とした構成は好ましくない。従って、正当なライセンスを受けた再生アプリケーションソフトによってのみ取得可能な情報を鍵生成情報として設定する。正当なライセンスを受けた再生アプリケーションソフトによってのみ取得可能な情報としては、例えば、デバイスＩＤがある。【０１６６】
デバイスＩＤは、正当なライセンスを受けた再生アプリケーションソフトに対応して設定されるＩＤであり、例えば再生アプリケーションを正当にインストールしたデバイスとしてのハードウェアに設定された識別情報などに基づいて生成される。このデバイスＩＤは、正当なインストール処理のなされた正当な再生アプリケーションソフトウェアに記録されたプログラムによってのみ取得可能とする。【０１６７】
従って、デバイスＩＤは、正当なライセンスを受けた再生アプリケーションソフトによってのみ取得、生成可能なデータであり、例えば様々なアプリケーションソフトウェアがインストールされたＰＣにおいて、他のアプリケーションによる取得は排除される。後発データを生成または取得した場合には、正当な再生アプリケーションが、デバイスＩＤを取得して暗号鍵生成処理を実行して暗号鍵を生成し、生成した暗号鍵を適用してＡＶストリームデータファイル７５５、および、ＡＶストリーム以外のナビゲーションファイルであるタイトルインデックスファイル７５１、ムービーオブジェクトファイル７５２、プレイリストファイル７５３、クリップ情報ファイル７５４のそれぞれを暗号化して記憶手段７５０に格納する。暗号鍵生成アルゴリズムとしては例えばＡＥＳ暗号鍵生成アルゴリズムなどが適用可能である。具体的には、例えば、データ量が多いＡＶストリームデータファイル７５５については６ＫＢ単位のブロック暗号化、その他のナビゲーションファイルについては２ＫＢ単位のブロック暗号化とするなどの構成とする。【０１６８】
暗号化ファイルを復号する場合には、正当な再生アプリケーションソフトウェアによって、デバイスＩＤを取得して、暗号鍵の生成を実行し、生成した暗号鍵によって暗号化ファイルの復号処理を実行する。【０１６９】
なお、上述のデバイスＩＤのみならず、その他の情報、例えばＣＰＳユニット管理コンテンツを格納した情報記録媒体の格納コンテンツの編集スタジオの識別子としてのスタジオＩＤ、情報記録媒体の製造単位として設定されるパッケージ識別子としてのパッケージＩＤやボリュームＩＤなどをデバイスＩＤとを組み合わせて暗号鍵の生成を行なう構成としてもよい。【０１７０】
なお、後発ファイルを設定したディレクトリに様々なスタジオ（コンテンツ提供エンティテイ）に関連するファイルが設定される場合には、各ファイルに対応するスタジオＩＤを適用する構成とするこが好ましい。パッケージＩＤ、ボリュームＩＤを適用する場合も同様である。これらの様々なＩＤを暗号鍵生成情報として適用する場合、ディレクトリに設定した後発ファイルが、どのスタジオＩＤ、パッケージＩＤ、ボリュームＩＤに基づいて生成された暗号鍵が適用されているかを判別可能な構成とすることが必要となる。【０１７１】
後発データファイルの暗号鍵の生成情報として適用したスタジオＩＤなどをそのままディレクトリ名や、ファイル名に使用する構成も可能であるが、このような設定とした場合には、コンテンツの再生処理時にスタジオ名等が判明する可能性があり、判明したデータに基づいて暗号鍵生成情報を類推されてしまう可能性がある。これを避けるため、ディレクトリ名やファイル名は別途割り当てる番号や乱数を用いて決定し、スタジオＩＤなど暗号鍵生成情報とファイルとの対応は別のテーブルとして保存する構成とすることが好ましい。【０１７２】
さらに、これらＡＶストリームデータファイル７５５、および、ＡＶストリーム以外のナビゲーションファイルとしてのタイトルインデックスファイル７５１、ムービーオブジェクトファイル７５２、プレイリストファイル７５３、クリップ情報ファイル７５４各々について、データ改竄を防止し、また改竄の検証を可能とするため、後発データの格納時に、後発データの全体、または特定サイズ（例えば６４ＫＢ）毎に分割して、ハッシュ値を計算し、生成ハッシュ値を上述の暗号鍵によって暗号化して格納する構成とする。このハッシュ値算出処理、暗号化処理も正当なライセンスを受けた再生アプリケーションによって実行される。【０１７３】
ハッシュ値の暗号化には、前述のファイル暗号化の暗号鍵と同様、ＣＰＳユニットに対応して設定されるユニット鍵、あるいはデバイスＩＤ、あるいはデバイスＩＤとスタジオＩＤ、パッケージＩＤ、ボリュームＩＤの少なくともいずれかとの組み合わせに基づいて生成される暗号鍵を適用する。【０１７４】
データ再生時には、暗号化されたハッシュ値を復号して得られたハッシュ値と、再生対象ファイルに基づいて再計算されたハッシュ値との照合を実行し、両ハッシュ値が一致した場合にファイルの改竄がないと判定する。ファイルの改竄がないことの確認を条件としてファイルの利用、後発ファイル、後発データの利用が許容される。なお、これらの処理を実行するのは正当な再生アプリケーションソフトである。【０１７５】
次に、図１４を参照して、後発データ中、ＡＶストリームデータファイルのみを暗号化し、その他のナビゲーションファイルであるタイトルインデックスファイル、ムービーオブジェクトファイル、プレイリストファイル、クリップ情報ファイルについては、暗号化を行なわず、データ改竄防止、検証用の署名を設定したファイルとして格納する構成例について説明する。【０１７６】
図１４に示す記憶手段７７０は、後発データを格納する情報記録媒体のデータ書き込み可能な領域またはハードディスク、あるいは携帯メモリなど外部の記憶手段に相当する。記憶手段７７０に記憶される後発データは、図に示すＡＶストリームデータファイル７７５に加え、ＡＶストリーム以外のナビゲーションファイルであるタイトルインデックスファイル７７１、ムービーオブジェクトファイル７７２、プレイリストファイル７７３、クリップ情報ファイル７７４が含まれる。【０１７７】
図１４に示す例では、ＡＶストリームデータファイル７７５のみをファイル単位で暗号化する。暗号鍵は、図１３を参照して説明したと同様、ＣＰＳユニット対応のユニット鍵、あるいはデバイスＩＤ、あるいはデバイスＩＤとスタジオＩＤ、パッケージＩＤ、ボリュームＩＤの少なくともいずれかとの組み合わせに基づいて生成される暗号鍵を適用する。【０１７８】
ＡＶストリームデータファイル７７５以外のナビゲーションファイルであるタイトルインデックスファイル７７１、ムービーオブジェクトファイル７７２、プレイリストファイル７７３、クリップ情報ファイル７７４については暗号化を行なわない。ただし、これらのナビケーションファイルについては、データ改竄防止及びデータ改竄の検証を可能とするため電子署名を付加して格納する。【０１７９】
これらの後発データを、例えばスタジオの管理するサーバなど、外部サーバからダウンロードして取得する場合は、予めサーバにおいて署名が施されたデータとして取得する。なおこの場合、署名検証用の鍵についても併せて取得するか、あるいは別途取得する構成とする。あるいは、ダウンロードデータあるいは自ら生成した後発データに対して、情報処理装置のデータ処理部の実行するアプリケーションにおいて自ら電子署名を生成し記憶手段に格納する構成としてもよい。【０１８０】
署名生成鍵、署名検証鍵は、例えば前述の暗号鍵と同様、ＣＰＳユニット対応のユニット鍵、あるいはデバイスＩＤ、あるいはデバイスＩＤとスタジオＩＤ、パッケージＩＤ、ボリュームＩＤの少なくともいずれかとの組み合わせに基づいて生成される鍵を適用する構成が可能である。あるいは公開鍵暗号方式に従った秘密鍵と公開鍵とのペアをそれぞれ署名生成鍵、検証鍵として適用する構成としてもよい。【０１８１】
署名の付加されたファイルを利用する場合には、署名の付加されたファイルの署名検証処理を実行し、ファイルデータの改竄の有無を判定する。ファイルの改竄がないことの確認を条件としてファイルの利用が許容される。なお、これらの処理を実行するのは正当な再生アプリケーションソフトである。【０１８２】
このように、本発明の情報処理装置は、データ処理部において正当な再生アプリケーションソフトを実行し、後発データを含むＡＶストリームデータファイル、およびＡＶストリームデータの再生処理に適用する制御情報またはプログラムを含むナビケーションファイルの暗号化処理を実行して記憶手段に記録する。あるいは、ハッシュ値または電子署名データなどの改竄検証用データを対応付けたファイルとして記憶手段に格納する。これらのファイルの利用に際しては、改竄検証を実行し、データ改竄のないことを確認したことを条件としてファイルの利用を行なう。【０１８３】
本構成により、例えば、ＰＣなど様々なアプリケーションソフトが利用可能な装置において、ライセンスされたアプリケーション以外のアプリケーションを適用してＣＰＳユニット対応のＡＶストリームデータファイルやナビケーションファイルを利用したり、データ変更を行なうなどの不正なコンテンツ利用、改竄処理を防止することが可能となり、ナビケーションファイルを含むＣＰＳユニット対応データの不正利用の排除が可能となる。【０１８４】
［６．情報処理装置が生成または取得した後発データの格納処理］
次に、図１５に示すフローチャートを参照して、情報処理装置が生成または取得した後発データの格納処理シーケンスについて説明する。【０１８５】
情報処理装置が生成または取得した後発データの保存先は、ＣＰＳユニット管理データを格納している情報記録媒体に設定されたデータ書き込み可能領域、あるいは、外部の記憶領域のいずれかである。【０１８６】
情報記録媒体外部の記憶領域とは、たとえば情報処理装置に内臓されたハードディスクや、メモリーカードのような持ち運び可能なメディアなどである。情報記録媒体内部の記憶領域とは、例えば情報記録媒体がＢｌｕ−ｒａｙ  Ｄｉｓｃであり、再生専用領域（ＲＯＭ）と書き込み専用領域の２つの領域を有するパーシャルＲＯＭ（Ｐａｒｔｉａｌ  ＲＯＭ）ディスクである場合のように、データ書き込み可能領域を有する情報記録媒体を適用している場合の処理である。【０１８７】
パーシャルＲＯＭディスクのようにデータ書き込み可能領域を有する情報記録媒体を適用している場合であれば、保存先を情報記録媒体か情報記録媒体以外かの２つから選択することができるが、データ書き込み可能領域を有する情報記録媒体を適用していない場合は、必然的に情報記録媒体以外の記憶領域に生成データが保存される。【０１８８】
図１５に示すフローに従って、情報処理装置が生成または取得した後発データの格納処理シーケンスについて説明する。【０１８９】
ステップＳ２０１において、情報処理装置が情報記録媒体から読み取ったデータまたはプログラムに従って、後発データを生成または取得する。ステップＳ２０２において、データの記録を実行するか否かを判定する。この判定処理は例えばデータ入力手段からのユーザ入力などによって決定される。あるいは予め設定された情報に基づく自動決定処理として実行してもよい。【０１９０】
データの記録を実行しない場合は、記録処理を行なうことなく処理を終了する。データ記録を行なう場合は、ステップＳ２０３に進み、情報処理装置に装着している情報記録媒体が、パーシャルＲＯＭディスクのようにデータ書き込み可能領域を有する情報記録媒体であるか否かを判定する。【０１９１】
データ書き込み可能領域を有する情報記録媒体でない場合は、ステップＳ２０５に進み、生成または取得したデータを、そのデータに対応付けられたＣＰＳユニットの構成データとして情報記録媒体以外の記憶手段にデータを格納する。なお、このデータ格納処理においては、格納データに対応するＣＰＳユニット管理情報として、再生／コピー制御情報と、ＣＰＳユニット管理テーブルにおける記録シードがそれぞれ対応付けられることとなる。この対応付けの構成については後述する。【０１９２】
ステップＳ２０３において、情報処理装置に装着している情報記録媒体が、パーシャルＲＯＭディスクのようにデータ書き込み可能領域を有する情報記録媒体であると判定された場合は、ステップＳ２０４に進み、データ書き込みを情報記録媒体に対して行なうか否かを判定するこれは例えばユーザ入力情報に基づく判定処理として実行される。あるいは予め設定された情報に基づく自動判定処理として実行してもよい。【０１９３】
データ書き込みを情報記録媒体に対して行なわない場合は、ステップＳ２０５に進み、生成または取得したデータに対応付けられたＣＰＳユニットの対応データとして情報記録媒体以外の記憶手段にデータを格納する。【０１９４】
データ書き込みを情報記録媒体に対して行なう場合は、ステップＳ２０６に進み、情報記録媒体のデータ書き込み可能領域に対して、生成または取得したデータをＣＰＳユニットの対応データとして情報記録媒体に格納する。なお、このデータ格納処理においては、格納データに対応するＣＰＳユニット管理情報として、再生／コピー制御情報と、ＣＰＳユニット管理テーブルにおける記録シードがそれぞれ対応付けられることとなる。【０１９５】
［７．情報記録媒体のＣＰＳユニット構成データと情報記録媒体外部に格納したＣＰＳユニット構成データの関連づけ構成］
上述したように、ＣＰＳユニットによって管理されたコンテンツを格納した情報記録媒体にオリジナルデータとして格納されていない後発データは情報記録媒体またはハードディスクなどに格納される。この新規データを情報記録媒体のＣＰＳ管理データの管理対象データとして取り扱うためには、情報記録媒体またはハードディスクなどに格納される新規データを情報記録媒体のＣＰＳ管理データの管理対象データであることを識別可能とすることが必要となる。以下、この識別の構成について説明する。【０１９６】
図１６は、後発データをオリジナルのＣＰＳユニットを持つ情報記録媒体以外の記憶手段、例えば情報処理装置のハードディスクなどの記憶手段に格納する構成における後発データとＣＰＳユニットとの関連付け構成を示す図である。【０１９７】
オリジナルのＣＰＳユニットを持つ情報記録媒体以外の記憶手段に後発データを記録する場合、図１６に示すように、それぞれがＣＰＳユニットを持つ異なる情報記録媒体８０１，８０２に対応する後発データを１つのハードディスクなどの記憶手段８０３に格納することとなる。【０１９８】
この場合、記憶手段８０３に格納する様々な後発データが、それぞれどの情報記録媒体８０１，８０２に対応する後発データであるかを区別することが必要となる。【０１９９】
情報記録媒体８０１，８０２には、先に図１を参照して説明したように、情報記録媒体１００の格納コンテンツの編集スタジオの識別子としてのスタジオＩＤ、情報記録媒体１００の製造単位としてのパッケージ識別子としてのパッケージＩＤが格納されている。【０２００】
図１６に示すように、記憶手段８０３に格納する様々な後発データ８０４，８０５，８０６に対しては、スタジオＩＤ、パッケージＩＤ、さらにＣＰＳユニットＩＤが識別データとして付与され、図に示すようにスタジオＩＤ、パッケージＩＤ、ＣＰＳユニットＩＤの順にディレクトリ階層構造を設定し、このディレクトリ階層構造に基づいてデータ格納、管理を行なう。【０２０１】
ＣＰＳユニットＩＤごとに割り当てられたディレクトリの内部には、任意の形式で生成データの保存が可能である。例えばＪａｖａ等の実行アプリケーションが生成するデータであれば、そのデータは再生時にＪａｖａ等の実行アプリケーションで解釈できる形式であれば良く、特定の形式に縛られるものではない。【０２０２】
このようにディレクトリ階層が規定される場合、オリジナルのＣＰＳユニットを持つ情報記録媒体以外の記憶手段に記録されたデータをＪａｖａ等の実行プログラムから呼び出す場合の参照処理は、たとえば図１７に示すように名前空間、ディレクトリ、ファイル名に基づいて呼び出す処理として実行可能である。すなわち、オリジナルのＣＰＳユニットを持つ情報記録媒体のデータ書き込み領域を［Ｐａｒｔｉａｌ−ＲＯＭ：／／］、ハードディスクを［Ｌｏｃａｌ−ＨＤＤ：／／］のように名前空間を定義し、それぞれの新規データの格納ファイルを名前空間、ディレクトリ、ファイル名によって特定しファイルデータの読み込み、更新、再書き込みなどの処理が可能である。【０２０３】
次に、図１８を参照して、後発データをオリジナルのＣＰＳユニットを持つ情報記録媒体のデータ書き込み可能領域に書き込む場合の後発データとＣＰＳユニットとの関連付け構成について説明する。【０２０４】
後発データをオリジナルのＣＰＳユニットを持つ情報記録媒体のデータ書き込み可能領域に記録する場合、図１６を参照して説明した複数のパッケージにわたる生成データの管理が必要ない。従ってスタジオＩＤ、パッケージＩＤを用いたディレクトリ管理は必要なく、図１８に示すように、後発データ８１１，８１２に対しては、ＣＰＳユニットＩＤによって識別可能なデータとして管理する構成となる。【０２０５】
［８．プログラム実行条件を限定した処理構成］
次に、ＣＰＳユニットによって管理されたコンテンツを格納した情報記録媒体から読み出し可能なプログラム、例えばＪａｖａなどの様々なアプリケーションプログラムの実行条件として、オリジナルのＣＰＳユニットを持つ情報記録媒体であること、あるいは特定の種類の情報記録媒体であることを規定し、不正なコンテンツの利用、コンテンツのコピーを防止した構成について説明する。【０２０６】
図１９を参照して、オリジナルのＣＰＳユニットを持つ情報記録媒体であることの確認を条件としたプログラム実行における処理シーケンスについて説明する。この処理は、ＣＰＳユニットによって管理されたコンテンツを格納した情報記録媒体を装着した情報処理装置において実行される処理である。【０２０７】
ステップＳ３０１において、ＣＰＳユニットによって管理されたコンテンツを格納した情報記録媒体を装着した情報処理装置は、情報記録媒体から読み出したプログラムを起動し、ステップＳ３０２において、プログラム実行条件確認処理として、ディスク種別判別実行する。これは、例えば情報記録媒体の物理領域に記録されているディスク種別識別情報１０６（図１参照）に基づいて実行される。【０２０８】
ステップＳ３０３において、ディスク種別がパーシャルＲＯＭか否かを判定する。ディスク種別がパーシャルＲＯＭでない場合、ステップＳ３０６に進みプログラムの実行を中止し、処理を終了する。【０２０９】
ディスク種別がパーシャルＲＯＭである場合、ステップＳ３０４に進み、プログラムを実行する。ステップＳ３０５においてプログラムの終了を確認した後、処理を終了する。【０２１０】
図２０は、具体的な情報記録媒体の種別に対応したプログラムの実行可否設定例について説明する図である。【０２１１】
情報処理装置は、装着した情報記録媒体８２０の物理領域から情報記録媒体のディスク種別識別情報を取得する。この種別情報には、例えば、パーシャルＲＯＭディスクである、あるいはデータ書き込み可能なＲＷディスク、あるいはＲディスクなど、ディスクの種別を示す情報が含まれている。【０２１２】
情報処理装置は、情報記録媒体８２０から読み取ったプログラム（例えばＪａｖａ）の実行開始に際し、情報記録媒体８２０の種別を判定し、種別がパーシャルＲＯＭである場合に限りプログラムの実行を許容し、その他のＲＷディスク、あるいはＲディスクなどの場合には、プログラムの実行を中止する。【０２１３】
この処理によって、図に示すように、パーシャルＲＯＭ８２１が情報処理装置に装着されている場合には、パーシャルＲＯＭ８２１から読み取られたプログラムが実行されるが、その他のＲＷディスク８２２、あるいはＲディスク８２３の場合には、同一のプログラムが書き込まれていた場合であっても、その読み出しプログラムの実行は許容されないことになる。【０２１４】
従って、オリジナルのＣＰＳユニットを持つ情報記録媒体がパーシャルＲＯＭ８２１であった場合、そのデータコピーを実行して、ＲＷディスク８２２、あるいはＲディスク８２３を生成しても、プログラムの実行は許容されず、コピーコンテンツの利用を防止することができる。【０２１５】
なお、上述の処理例は、プログラムの実行可否を情報記録媒体の種別に基づいて決定する例であるが、さらに、後発データの書き込み先を限定する構成としてもよい。また、上述の例においては、パーシャルＲＯＭディスクを適用した場合の処理として説明しているが、ＲＯＭディスクを適用した場合においても同様の処理が可能である。【０２１６】
情報記録媒体がパーシャルＲＯＭである場合、後発データをパーシャルＲＯＭのデータ書き込み可能領域に書き込むことが可能であるが、パーシャルＲＯＭから読み出したプログラムを実行する場合、そのプログラムの実行に基づいて生成したデータあるいは取得したデータなどの後発データの書き込み先をプログラムによって規定する。すなわち、パーシャルＲＯＭから読み出したプログラムの実行に基づいて生成または取得したデータの書き込み先を同一のパーシャルＲＯＭのデータ書き込み領域にのみ限定する。これは、プログラムに書き込み先条件を設定することで実現される。このような構成とすることで、ユーザが後発的に生成または取得したデータについての利用制限も可能となる。【０２１７】
［９．情報処理装置の構成例］
次に、図２１を参照して、上述のＣＰＳユニットによって管理されたコンテンツを格納した情報記録媒体の再生、記録処理を行う情報処理装置の構成例について説明する。【０２１８】
図２１に示す情報処理装置９００は、情報記録媒体９１０の駆動を行ない、データ記録再生信号の入手力を行なうドライブ９０９、各種プログラムに従ったデータ処理を実行する制御手段としてのＣＰＵ９０７、プログラム、パラメータ等の記憶領域としてのＲＯＭ９０６、メモリ９０８、デジタル信号を入出力する入出力Ｉ／Ｆ９０２、アナログ信号を入出力し、Ａ／Ｄ，Ｄ／Ａコンバータ９０４を持つ入出力Ｉ／Ｆ９０３、ＭＰＥＧデータのエンコード、デコード処理を実行するＭＰＥＧコーデック９２１、ＴＳ（Transport Stream）・ＰＳ(Program Stream)処理を実行するＴＳ・ＰＳ処理手段９２２、各種の暗号処理を実行する暗号処理手段９０５、ハードディスクなどの記憶手段９３０を有し、バス９０１に各ブロックが接続されている。【０２１９】
情報処理装置９００において、情報記録媒体９１０からＭＰＥＧ−ＴＳデータからなるＡＶストリームデータの再生を行う場合、ドライブ９０９において情報記録媒体９１０から読み出されたデータは必用に応じて暗号処理手段９０５で暗号を解きＴＳ・ＰＳ処理手段９２２によってＶｉｄｅｏ、Ａｕｄｉｏ、字幕などの各データに分けられる。【０２２０】
さらに、ＭＰＥＧコーデック９２１において復号されたデジタルデータは入出力Ｉ／Ｆ９０３内のＤ／Ａコンバータ９０４によってアナログ信号に変換され出力される。またデジタル出力を行う場合、暗号処理手段９０５で復号されたＭＰＥＧ−ＴＳデータは入出力ＩＦ９０２を通してデジタルデータとして出力される。この場合の出力は例えばＩＥＥＥ１３９４やイーサネットケーブル、無線ＬＡＮなどのデジタルインターフェースに対して行われる。なお、ネットワーク接続機能に対応する場合入出力Ｉ／Ｆ９０２はネットワーク接続の機能を備える。【０２２１】
また、情報処理装置９００内で出力先機器が受信可能な形式にデータ変換をして出力を行う場合、一旦ＴＳ処理手段９２２で分離したＶｉｄｅｏ、Ａｕｄｉｏ、字幕などに対してＭＰＥＧコーデック９２１においてレート変換、コーデック変換処理を加え、ＴＳ・ＰＳ処理手段９２２で再度ＭＰＥＧ−ＴＳやＭＰＥＧ−ＰＳなどに多重化を行ったデータをデジタル用入出力Ｉ／Ｆ９０２から出力する。または、ＣＰＵ９０７の制御の下にＭＰＥＧ以外のコーデック、多重化ファイルに変換をしてデジタル用入出力Ｉ／Ｆ９０２から出力することも可能である。【０２２２】
ＣＰＳユニット管理情報としてのＣＰＳユニット管理テーブル（図２参照）や、ＣＰＳユニット対応の再生／コピー制御情報等の管理データは、情報記録媒体９１０から読み出された後メモリ９０８に保管される。再生を行う際に必要なＣＰＳユニットごとの鍵情報は、メモリ上に保管されたデータから取得することができる。【０２２３】
次に、情報処理装置９００が、生成したデータや取得したデータなどの後発データのデータを記録する際の動作について説明する。記録を行うデータとしてデジタル信号入力とアナログ信号入力の２つのケースが想定される。デジタル信号の場合、デジタル信号用入出力Ｉ／Ｆ９０２から入力され、必要に応じて暗号処理手段９０５によって適切な暗号化処理を施したデータを記録媒体９１０に保存する。【０２２４】
また、入力されたデジタル信号のデータ形式を変換して保存する場合、ＭＰＥＧコーデック９２１およびＣＰＵ９０７、ＴＳ・ＰＳ処理手段９２２によって保存用のデータ形式に変換を行い、その後、暗号処理手段９０５で適切な暗号化処理を施して記録媒体９１０に保存する。アナログ信号の場合、入出力Ｉ／Ｆ９０３へ入力されたアナログ信号はＡ／Ｄコンバータ９０４によってデジタル信号に変換され、ＭＰＥＧコーデック９２１によって記録時に使用されるコーデックへと変換される。【０２２５】
その後、ＴＳ・ＰＳ処理手段により、記録データの形式であるＡＶ多重化データへ変換され、必要に応じて暗号処理手段９０５によって適切な暗号化処理を施したデータが記録媒体９１０に保存される。なお、コンテンツ管理情報についても記録時に作成し、記録媒体９１０上に保存する。【０２２６】
情報処理装置９００において必用な情報を装置外部のネットワーク経由で取得する場合、取得したデータは情報処理装置９００内部のメモリ９０８に保存される。保存されるデータとしてはコンテンツ再生に必用な鍵情報、コンテンツ再生時に合わせて再生するための字幕、Ａｕｄｉｏ、静止画などのデータ、コンテンツ管理情報、およびコンテンツ管理情報に対応した再生装置の動作ルール（Ｕｓａｇｅ  Ｒｕｌｅ）などが存在する。【０２２７】
なお、再生処理、記録処理を実行するプログラムはＲＯＭ９０６内に保管されており、処理中は必要に応じてデータの保管用にメモリ９０８を使用する。【０２２８】
後発データの生成、取得、記録処理について説明する。ドライブ９０９において情報記録媒体９１０から実行プログラム、あるいは解析可能なデータを読み込みメモリ９０８に保持し、ＣＰＵ９０７の制御の下にプログラムを実行、またはデータ解析を行う。【０２２９】
後発的に生成または取得したデータは、一旦メモリ９０８に保持され、ユーザの選択、あるいは予め定められた制御シーケンスに従って情報記録媒体９１０またはハードディスク等の記憶手段９３０に格納される。【０２３０】
なお、再生処理、記録処理を実行するプログラムはＲＯＭ９０６内に保管されており、プログラムの実行処理中は必要に応じて、パラメータ、データの保管、ワーク領域としてメモリ９０８を使用する。なお、図２１では、データ記録、再生の可能な装置構成を示して説明したが、再生機能のみの装置、記録機能のみを有する装置も構成可能であり、これらの装置においても本発明の適用が可能である。【０２３１】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。【０２３２】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。【０２３３】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。【０２３４】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。【０２３５】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２３６】
以上、説明したように、本発明の構成によれば、情報記録媒体に格納されたコンテンツ管理ユニット単位のコンテンツ情報に関連して後発的にユーザが生成した情報やダウンロードした情報などの後発データを、コンテンツ管理ユニットに対応するユニット鍵、または新規のコンテンツ管理ユニットに対応するユニット鍵を適用した暗号化データとして、コンテンツ管理ユニットの構成データとして記録する構成としたので後発生成データについても、オリジナルのユニット対応データと同様セキュアなデータ管理、利用管理が実現される。従って、後発データの生成や、取得処理を行う構成において、本発明の構成を適用することで、後発データの利用管理を効率的に行なうことが可能となる。【０２３７】
さらに、本発明の構成によれば、情報記録媒体からの読み取り情報に含まれるプログラムの実行において、プログラムを読み取った情報記録媒体の種類を判定し、予め設定されたプログラム実行の許容された種類であることの確認を条件としてプログラムを実行する構成としたので、例えばコンテンツのコピーディスクを利用したプログラム実行が拒否されることとなり、コンテンツの不正利用を防止することが可能となる。【０２３８】
さらに、本発明の構成によれば、ＡＶストリームデータファイル以外のナビケーションファイルについても暗号化または改竄検証用データを設定して格納する構成としたので、例えば、ＰＣなど様々なアプリケーションソフトが利用可能な装置において、ライセンスされたアプリケーション以外のアプリケーションを適用してＣＰＳユニット対応のＡＶストリームデータファイルやナビケーションファイルを利用したり、データ変更を行なうなどの処理を防止することが可能となり、ナビケーションファイルを含むＣＰＳユニット対応データの不正利用の排除が可能となる。
【図１】
0004892977.tif 000002
【図２】
0004892977.tif 000003
【図３】
0004892977.tif 000004
【図４】
0004892977.tif 000005
【図５】
0004892977.tif 000006
【図６】
0004892977.tif 000007
【図７】
0004892977.tif 000008
【図８】
0004892977.tif 000009
【図９】
0004892977.tif 000010
【図１０】
0004892977.tif 000011
【図１１】
0004892977.tif 000012
【図１２】
0004892977.tif 000013
【図１３】
0004892977.tif 000014
【図１４】
0004892977.tif 000015
【図１５】
0004892977.tif 000016
【図１６】
0004892977.tif 000017
【図１７】
0004892977.tif 000018
【図１８】
0004892977.tif 000019
【図１９】
0004892977.tif 000020
【図２０】
0004892977.tif 000021
【図２１】
0004892977.tif 000022